(57)【要約】【課題】 電源、燃料、化学発光物を用いなくても発光する発光素子の提供。【解決手段】壁、殻によって囲まれた空間40を有する球状等の光透過性の壁部材 (又はカプセル) 20と、空間40に可動自在に配置された一つ又は複数の粒子状部材30と、壁部材20及び、又は粒子状部材30に含有した機械的刺激 (機械的エネルギーの付与) により発光する応力発光材料とからなる応力発光素子10である。例えば応力発光素子10にグリップ50を固定して、グリップ50を手で握り手動により応力発光素子10を左右に振るSか回転Rさせることにより、粒子状部材30同志又は粒子状部材30と壁部材20とが衝突又は摩擦しあい、この機械的刺激により応力発光素子10が点滅発光Lして光透過性の壁部材20から出射する。応力発光素子10に機械的刺激を与えるには、手動の外に圧電振動体等の人工的な機械的エネルギー付与手段を用いることができる。【選択図】        図1
2005322421.tif 000002
【特許請求の範囲】
【請求項１】
壁と前記壁によって実質的に囲まれた少なくとも一つの空間とを有する容器と、
前記空間に可動自在に配置された一つ又は複数の粒子状部材と、
前記壁及び、又は前記粒子状部材に含有した機械エネルギーの印加により発光する応力発光材料とからなる応力発光素子。
【請求項２】
殻と前記殻内の少なくとも一つの空間とを有するカプセル部材と、
前記空間に可動自在に配置された一つ又は複数の粒子状部材と、
前記殻及び、又は前記粒子状部材に含有した機械エネルギーの印加により発光する応力発光材料とからなるカプセル型応力発光素子。
【請求項３】
壁と前記壁によって実質的に囲まれた第1の空間とを有する容器と、
前記第1の空間に可動自在に配置され、殻と前記殻内の第2の空間と前記第2の空間に可動自
在に配置された一つ又は複数の粒子状部材とを有する一つ又は複数のカプセル部材と、
前記壁及び、又は前記殻及び、又は前記粒子状部材に含有した機械エネルギーの印加により発
光する応力発光材料とからなるカプセル型応力発光素子。
【請求項４】
第1の殻と前記第1の殻内の第1の空間とを有する第1のカプセル部材と、
前記第1の空間に可動自在に配置され、第2の殻と前記第2の殻内の第2の空間と前記第2の
空間に可動自在に配置された一つ又は複数の粒子状部材とを有する一つ又は複数の第2カプセル部材と、
前記第1の殻及び、又は第2の殻及び、又は前記粒子状部材に含有した機械エネルギーの印加により発光する応力発光材料とからなるカプセル型応力発光素子。
【請求項５】
第1の壁を有する第1の支持体と、前記第1の支持体と対向し第2の壁を有する第2の支持体と、
前記第1の支持体及び前記第2の支持体との間に介在され内部に少なくとも一つの空間を有するスペーサー及び、又は封止材からなるスペーサー手段と、
前記空間に可動自在に配置された一つ又は複数の粒子状部材と、
前記粒子状部材及び、又は前記第1、第2の壁に含有した機械エネルギーの印加により発光する応力発光材料とからなる応力発光素子。
【請求項６】
前記壁及び、又は前記殻は、部分的又は全面的に光透過性を有する請求項1乃至請求項5のいずれかに記載の応力発光素子。
【請求項７】
前記壁及び、又は前記殻の外面及び、又は内面に部分的に又は全面的に前記応力発光材料を被覆するか、粒子状の前記応力発光材料を分散したバインダーを被覆するか、又は粒子状の前記応    
力発光材料を含有した粒子状部材を分散したバインダーを被覆した請求項1乃至請求項5のいずれかに記載の応力発光素子。
【請求項８】
前記壁及び、又は前記殻の内部に部分的に又は全面的に粒子状の前記応力発光材料又は粒子状の前記応力発光材料を含有した粒子状部材を分散した請求項1乃至請求項5のいずれかに記載の応力発光素子。
【請求項９】
前記粒子状部材が粒子状応力発光材料からなる第1の粒子状部材、粒子状部材に応力発光材料を被覆した第2の粒子状部材、ポリマー、エラストマー、ガラス、金属、又は金属酸化物からなる粒子状部材に前記第1の粒子状部材を分散したバインダーを被覆した第3の粒子状部材、ポリマー、エラストマー、又はガラスからなる光透過性粒子状部材に前記第1の粒子状部材を分散した第4の粒子状部材から選択された応力発光材料含有粒子状部材からなる請求項1乃至請求項5のいずれかに記載の応力発光素子。
【請求項１０】
前記粒子状部材が前記応力発光材料を含有した粒子状部材からなり、前記粒子状部材の内部に少なくとも一つの空間を有する請求項1乃至請求項5のいずれかに記載の応力発光素子。
【請求項１１】
前記壁及び、又は前記殻と前記粒子状部材との間、及び、又は前記粒状部材同士の衝突、接触及び、又は摩擦により付与された前記機械エネルギーの印加によって、前記応力発光材料を発光させる請求項1乃至請求項5のいずれかに記載の応力発光素子。
【請求項１２】
前記応力発光素子を攪拌するために少なくとも一つの攪拌部材を前記壁又は前記殻内に可動自在に配置した請求項1乃至請求項5のいずれかに記載の応力発光素子。
【請求項１３】
前記壁及び、又は前記殻に部分的にレンズをはめ込んだ請求項1乃至請求項5のいずれかに記
載の応力発光素子。
【請求項１４】
複数の前記カプセル型応力発光素子を、バインダーを用いて支持体上に固定するか、又はバインダーを用いて一対の支持体間に固定した請求項2乃至請求項4のいずれかに記載の応力発光装置。
【請求項１５】
複数の前記カプセル型応力発光素子を、支持体中に分散した請求項2乃至請求項4のいずれかに記載の応力発光装置。
【請求項１６】
前記支持体がシート又はフィルムからなる請求項5、請求項14又は請求項1 5 に記載のシート型応力発光素子。
【請求項１７】
前記支持体が、柔軟性を有するシート又はフィルムからなり、全体として柔軟性を有する請求項5、請求項14又は請求項1 5に記載のシート型応力発光素子。
【請求項１８】
前記応力発光素子の寸法を実質的にクレジット  カード、キャッシュカード、又は乗車券カードのカード  サイズとした請求項5、請求項14又は請求項1 5 に記載のカード型応力発光素子。
【請求項１９】
前記応力発光素子に機械的エネルギーを付与する機械的エネルギー発生手段を設けた請求項1乃至請求項5のいずれかに記載の応力発光装置。
【請求項２０】
前記応力発光素子を握るためのグリップ部材を前記応力発光素子に固定した請求項1乃至請求項5のいずれかに記載の応力発光装置。
【請求項２１】
前記応力発光素子を部分的に固定する実質的に線状の支持部材を設けた請求項1乃至請求項5のいずれかに記載の応力発光装置。
【請求項２２】
前記応力発光素子を吊るす実質的に線状の支持部材を設けた請求項1乃至請求項5のいずれかに記載の応力発光装置。
【請求項２３】
前記応力発光素子を部分的に固定する弾性を有する実質的に線状の支持部材を設けた請求項1乃至請求項5のいずれかに記載の応力発光装置。
【請求項２４】
前記壁及び、又は前記殻が、実質的に球、ドーム、円柱、多角柱、板、カード、楕円、ハート、クラブ、ダイアモンド (菱形)、スペード、リング、星、月、文字、図形から選ばれた一つの形状又はこれらを組み合わせた形状を有する請求項1乃至請求項5のいずれかに記載の応力発光装置。
【請求項２５】
請求項1乃至請求項5のいずれかに記載の前記応力発光素子を有し、機械的エネルギーを検知する機械的エネルギー検知センサー。
【請求項２６】
請求項1乃至請求項5又は請求項１２のいずれかに記載の前記応力発光素子と、前記応力発光素子の発光を電気信号に変換する光電変換素子とを有し、衝撃、衝突又は加速度を検知するセンサー。
【請求項２７】
請求項3又は請求項4に記載の前記応力発光素子を有する風船。
【請求項２８】
請求項1乃至請求項5のいずれかに記載の前記応力発光素子を有する発光可能な人工植物。
【請求項２９】
請求項3又は請求項4に記載の前記応力発光素子を有する人工眼。
【請求項３０】
請求項1乃至請求項5のいずれかに記載の前記応力発光素子の少なくとも二つを吊るし、互いに衝突可能に配置した動的展示装置。
【請求項３１】
請求項1乃至請求項5のいずれかに記載の前記応力発光素子の複数を空中に水と共に又は水を用いずに放射し、ほぼ放射状に運動させ噴水状又は花火状に発光させる動的展示装置。
【請求項３２】
請求項1乃至請求項5のいずれかに記載の前記応力発光素子を有する装身具。
【請求項３３】
請求項1乃至請求項5のいずれかに記載の前記応力発光素子と振動発生手段又は送風手段とを有し、前記応力発光素子を回転運動させる動的展示装置。
【請求項３４】
請求項1乃至請求項5のいずれかに記載の前記応力発光素子と振動発生手段又は送風手段とを有し、前記応力発光素子を浮遊運動させる動的展示装置。
【請求項３５】
請求項1乃至請求項5のいずれかに記載の前記応力発光素子を、文字又は図形のパターン状に配置したパイプ状の光透過性を有する前記壁からなるパイプ部材内に循環させた表示装置。
【請求項３６】
請求項1乃至請求項5のいずれかに記載のいずれかに記載の前記応力発光素子を有する発光砂時計又は砂時計型発光装置。
【請求項３７】
請求項1乃至請求項5のいずれかに記載のいずれかに記載の前記応力発光素子を有する発光型擬似ローソク装置。
【請求項３８】
請求項1乃至請求項5のいずれかに記載のいずれかに記載の前記応力発光素子を有する表示装置。
【請求項３９】
請求項5又は請求項14乃至請求項1 ７のいずれかに記載の前記応力発光素子の異なる領域に選択的に機械的エネルギーを付与する機械的エネルギー発生素子を前記応力発光素子と対応して配置した表示装置。
【請求項４０】
請求項5又は請求項14乃至請求項1 ７のいずれかに記載の前記応力発光素子のX-Yマトリクス状の交差部を画素とし、表示すべき情報を含む電気信号によって変調された機械的エネルギーを付与する複数の電気、機械的エネルギー変換素子を前記画素と対応して配置した表示装置。
【請求項４１】
請求項5又は請求項14乃至請求項1 ７のいずれかに記載の前記応力発光素子を、表示すべき情報を含む電気信号によって変調された機械的エネルギーを付与する電気、機械的エネルギー変換素子を有する走査ヘッドにより走査する表示装置。
【発明の詳細な説明】
【技術分野】
【０００１】
本発明は、バッテリー、商用電源などの電源及び燃料を必ずしも必要としない無電源の発光素子および応力発光装置に関する。
【０００２】
本発明は、例えば停電、交通事故、災害、遭難などの緊急時に使用できる非常用光源、披露宴、イベントなどに用いられる展示、演出用光源、発光玩具などの主として屋内、暗所、夜間で用いられる光源に関する。
【０００３】
本発明は、例えば停電、交通事故、災害、遭難などの緊急時に使用できる非常用光源、披露宴、スポーツ、音楽会などの応援、イベントなどに用いられる演出、展示用光源、発光玩具などの主として屋内、暗所、夜間に用いられる光源に関する。
【背景技術】
【０００４】
従来、この種の電源を必要としない棒状発光素子としては、化学発光現象を利用した通常ライト  スティック (LIGHTSTICK, LIGHT STICK) 即ち「光る棒」と呼ばれている棒状化学発光素子が広く用いられている。
【０００５】
この化学発光ライト  スティックは、例えば米国特許第３,５７６,９８７号 (特許文献1参照) に記載されているものが広く市販されて使用されている。この化学発光素子は光透過性で柔軟性の樹脂からなる外側のチューブ内にある第１の溶液、および該第１の溶液に浮かべられたガラスからなる内側のチューブ内にある第２の溶液から成っている。使用者がこの管を折り曲げると、内部にあるガラス装置が破壊され、第２の溶液が放出されて第１の溶液と混合し化学発光を開始する。
【０００６】
特許文献1の化学発光素子は外側のチューブが破壊されて溶液が外部に漏れる恐れがあり、この点を改良した化学発光素子が日本特許公開、特開平５−２０９８３４(特許文献2参照)に記載されている。
【０００７】
摩擦、衝撃、圧縮、湾曲、引張りなどの応力、機械的刺激、機械エネルギーの印加により可逆的に発光する現象を示す応力発光 (ストレス  ルミネツセンス: stress luminescence) 材料が公知である。
【０００８】
応力発光現象は、摩擦発光(トリボルミネツセンス: :tribo-luminescence)、メカノルミッセンス (mechano-luminescence)とも呼ばれている。
【０００９】
この応力発光材料については、例えば下記に列挙する特許文献1乃至特許文献１７に記載されている。
【００１０】
特許文献1には、振動、衝撃、超音波、機械的圧縮などの機械的エネルギーを、応力発光材料の一種である金属キレートに印加して発光させる発光装置が開示されている。
【００１１】
特許文献2には、二価のユーロピウムで付活したアルミン酸ストロンチウムよりなる応力発光材料の一種である蛍光体を所望形状の基板に塗布してなる摩擦発光素子が開示されている。
また、この蛍光体を基板に塗布し、摩擦、衝撃などの機械的エネルギーを付与すると、通常の明るさの部屋の中でおいても肉眼で認められる大きい輝度の黄緑色の発光が得られること、更に機械的エネルギーを与えた瞬間から約30乃至60分経過後も残光性即ち蓄光性を示すことが開示されている。
【００１２】
特許文献3には、歪蛍光物資 (即ち応力発光材料) を圧電超音波振動子に接着し、振動子に交流電圧を印加して交番応力を発生させ、交番応力を歪蛍光物資に印加して発光させる、歪蛍光物資を発光させる方法が開示されている。
【００１３】
特許文献4には、ピリコン酸根とユウロピウムまたはテルビウムとからなる結晶性希土類元素を含有したピリコン酸塩よりなる摩擦発光物質が開示されている。
【００１４】
またこの摩擦発光物質を金属、ガラスなどの硬い基体、樹脂、木材、ゴムシートなどの比較的柔らかな基体上に設けた摩擦発光素子材料が開示されている。
【００１５】
またこの摩擦発光物質をエポキシ樹脂など結合剤、即ちバインダー樹脂に分散させて基体に塗布し、機械的エネルギーを付与すると、ユウロピウムの場合は赤色、テルビウムの場合は緑色に発光し、その発光輝度は通常光下においてさえも十分肉眼で認められることが開示されている。
【００１６】
また三原色の摩擦発光物質を混合などによる多色表示化へ利用でき、表示装置、表示素子への応用が開示されている。
【００１７】
特許文献5と、特許文献5に対応する米国特許である特許文献6には、摩擦ルミネッセンス現象を利用し、圧力を加えることにより発光する圧力発光層、電極膜で挟持された圧電膜を備え、圧力発光層に圧力を加えることが可能に配置された発光素子、表示素子が開示されている。
【００１８】
特許文献７には、ヒドロキシ−置換オキシジフェニルスルホン、少なくとも１種の非水溶性有機溶媒および水を含有してなる摩擦発光性分子化合物と、この摩擦発光性分子化合物に摩擦、加圧、振動等の機械的刺激を与えて発光させるおよびその発光方法が開示されている。
【００１９】
特許文献８乃至特許文献１７は全て徐  超男 (ＣＨＡＯＮＡＮ  ＸＵ)  等の発明による応力発光材料、摩擦発光材料である。
【００２０】
徐等が開発した新規な応力発光体は、例えば、アルミナに発光元素を加えて生成したアルミン酸ストロンチウム系無機物質、無機粒子で、弾性領域における微弱な機械的外力の印加でも発光する。その発光強度は、機械的な外部からの力に比例する。これらの応力発光材料は例えば指で触るなどの微妙な力でも発光するもので実用化が始まっており、応力分布センサー、応力センサー、応力表示素子、応力表示装置 (メカノディスプレー)を始めとして広い分野でその応用が期待されている。
【００２１】
例えば、特許文献１３と、特許文献１３と対応する米国特許である特許文献１３には、摩擦力、せん断力、衝撃力などの機械的な外力による変形によって効果的に発光する新規な高輝度応力発光材料として、アルミン酸塩の少なくとも１種からなり、かつ機械的エネルギーによって励起されたキャリアーが基底状態に戻る際に発光する格子欠陥をもつ物質、又はこの母体物質中に希土類金属イオンや遷移金属イオンを発光中心の中心イオンとして含む物質からなる高輝度応力発光材料が開示されている。
【００２２】
【特許文献１】特開ＪＰ    ４５−１１１９４Ｂ、発明の名称「発光装置」
【特許文献２】特開JP  ４８−４６５８２Ａ、発明の名称「摩擦発光素子」
【特許文献３】特開JP  ５１−７４９９０Ａ、発明の名称「歪蛍光物資を発光させる方法」
【特許文献４】特開JP ５６−１３６８７４Ａ、発明の名称「摩擦発光物質、摩擦発光素子材料」
【特許文献５】特開ＪＰ２０００−１７３３０１Ａ、発明の名称「圧電発光素子、表示装置およびそれらの製造方法」
【特許文献６】米国特許US６２８１６１７Ｂ1  "ＰＩＥＺＯＥＬＥＣＴＲＩＣ  ＬＵＭＩＮＯＵＳＥ  ＥＬＥＭＥＮＴ  ＤＩＳＰＬＡＹ  ＤＥＶＩＣＥ  ＡＮＤ  ＭＥＴＨＯＤ  ＦＯＲ  ＭＡＮＵＦＡＣＴＵＲＩＮＧ  ＳＡＭＥ"
【特許文献７】特開ＪＰ２００１−１３１１４０Ａ、発明の名称「摩擦発光性分子化合物およびその発光方法」
【特許文献８】JP １１−１２０８０１Ａ、発明の名称「力で発光する無機薄膜及びその製造法」
【特許文献９】JP １１−２６３９７０Ａ、発明の名称「発光材料、その製造方法及びそれを用いた発光方法」
【特許文献１０】特開JP２０００−０６３８２４  Ａ、発明の名称「応力発光材料及びその製造方法」
【特許文献１１】特開JP２０００−１１９６４７  Ａ、発明の名称「発光材料、その製造方法及びそれを用いた発光方法」
【特許文献１２】特開JP２０００−３１３８７８  Ａ、発明の名称「発光材料、その製造方法及びそれを用いた発光方法」
【特許文献１３】特開JP２００１−０４９２５１  Ａ、発明の名称「高輝度発光材料、その製造方法及びそれを用いた発光方法」
【特許文献１４】米国特許６２８０６５５  Ｂ1  "HIGH-LUMINOCITY STRESS-LUMINESCENT MATERIAL"
【特許文献１５】特開JP２００１−０６４６３８Ａ、発明の名称「応力発光材料およびその製造方法」
【特許文献１６】特開JP２００２−１９４３４９Ａ、発明の名称「応力発光材料およびその製造方法」
【特許文献１７】特開JP２００４−０４３６５６Ａ、発明の名称「特開JP２００４−０４３６５６Ａ、発明の名称「高輝度メカノルミネッセンス材料及びその製造方法」
【発明の開示】
【発明が解決しようとする課題】
【００２３】
本発明は、応力発光材料又は摩擦発光材料を利用して電源を必要としない無電源の、燃料を必要としない無燃料の発光素子、照明 (ライティング) 装置、発光装置などを提供するものである。
【００２４】
本発明は、応力発光材料又は摩擦発光材料を利用して化学発光材料を使用しない発光素子、ライティング装置、発光装置などを提供するものである。
【００２５】
本発明は、例えば単に揺動、回転、振動及び、又は湾曲させることにより発光させることができる新規な発光素子、発光照明素子を提供するものである。
【００２６】
本発明は、例えば停電、交通事故、災害、遭難などの緊急時に使用できる非常用光源、披露宴、イベントなどに用いられる展示、演出用光源、発光玩具などの屋内、暗所、主として夜間で用いられる無電源光源を提供するものである。
【課題を解決するための手段】
【００２７】
(請求項1に記載の発明) 壁と前記壁によって実質的に囲まれた少なくとも一つの空間とを有する容器と、前記空間に可動自在に配置された一つ又は複数の粒子状部材と、前記壁及び、又は前記粒子状部材に含有した機械エネルギーの印加により発光する応力発光材料とからなる応力発光素子。
【００２８】
(請求項2に記載の発明) 殻と前記殻内の少なくとも一つの空間とを有するカプセル部材と、前記空間に可動自在に配置された一つ又は複数の粒子状部材と、前記殻及び、又は前記粒子状部材に含有した機械エネルギーの印加により発光する応力発光材料とからなるカプセル型応力発光素子。
【００２９】
(請求項3に記載の発明) 壁と前記壁によって実質的に囲まれた第1の空間とを有する容器と、前記第1の空間に可動自在に配置され、殻と前記殻内の第2の空間と前記第2の空間に可動自在に配置された一つ又は複数の粒子状部材とを有する一つ又は複数のカプセル部材と、前記壁及び、又は前記殻及び、又は前記粒子状部材に含有した機械エネルギーの印加により発光する応力発光材料とからなるカプセル型応力発光素子。
【００３０】
(請求項4に記載の発明) 第1の殻と前記第1の殻内の第1の空間とを有する第1のカプセル部材と、前記第1の空間に可動自在に配置され、第2の殻と前記第2の殻内の第2の空間と前記第2の空間に可動自在に配置された一つ又は複数の粒子状部材とを有する一つ又は複数の第2カプセル部材と、前記第1の殻及び、又は第2の殻及び、又は前記粒子状部材に含有した機械エネルギーの印加により発光する応力発光材料とからなるカプセル型応力発光素子。
【００３１】
(請求項5に記載の発明) 第1の壁を有する第1の支持体と、前記第1の支持体と対向し第2の壁を有する第2の支持体と、前記第1の支持体及び前記第2の支持体との間に介在され内部に少なくとも一つの空間を有するスペーサー及び、又は封止材からなるスペーサー手段と、前記空間に可動自在に配置された一つ又は複数の粒子状部材と、前記粒子状部材及び、又は前記第1、第2の壁に含有した機械エネルギーの印加により発光する応力発光材料とからなる応力発光素子。
【００３２】
(請求項6に記載の発明) 前記壁及び、又は前記殻は、部分的又は全面的に光透過性を有する請求項1乃至請求項5のいずれかに記載の応力発光素子。
【００３３】
(請求項7に記載の発明) 前記壁及び、又は前記殻の外面及び、又は内面に部分的に又は全面的に前記応力発光材料を被覆するか、粒子状の前記応力発光材料を分散したバインダーを被覆するか、又は粒子状の前記応力発光材料を含有した粒子状部材を分散したバインダーを被覆した請求項1乃至請求項5のいずれかに記載の応力発光素子。
【００３４】
(請求項8に記載の発明) 前記壁及び、又は前記殻の内部に部分的に又は全面的に粒子状の前記応力発光材料又は粒子状の前記応力発光材料を含有した粒子状部材を分散した請求項1乃至請求項5のいずれかに記載の応力発光素子。
【００３５】
(請求項9に記載の発明) 前記粒子状部材が粒子状応力発光材料からなる第1の粒子状部材、粒子状部材に応力発光材料を被覆した第2の粒子状部材、ポリマー、エラストマー、ガラス、金属、又は金属酸化物からなる粒子状部材に前記第1の粒子状部材を分散したバインダーを被覆した第3の粒子状部材、ポリマー、エラストマー、又はガラスからなる光透過性粒子状部材に前記第1の粒子状部材を分散した第4の粒子状部材から選択された応力発光材料含有粒子状部材からなる請求項1乃至請求項5のいずれかに記載の応力発光素子。
【００３６】
(請求項10に記載の発明) 前記粒子状部材が前記応力発光材料を含有した粒子状部材からなり、前記粒子状部材の内部に少なくとも一つの空間を有する請求項1乃至請求項5のいずれかに記載の応力発光素子。
【００３７】
(請求項11に記載の発明) 前記壁及び、又は前記殻と前記粒子状部材との間、及び、又は前記粒状部材同士の衝突、接触及び、又は摩擦により付与された前記機械エネルギーの印加によって、前記応力発光材料を発光させる請求項1乃至請求項5のいずれかに記載の応力発光素子。
【００３８】
(請求項12に記載の発明) 前記応力発光素子を攪拌するために少なくとも一つの攪拌部材を前記壁又は前記殻内に可動自在に配置した請求項1乃至請求項5のいずれかに記載の応力発光素子。
【００３９】
(請求項13に記載の発明) 前記壁及び、又は前記殻に部分的にレンズをはめ込んだ請求項1乃至請求項5のいずれかに記載の応力発光素子。
【００４０】
(請求項14に記載の発明) 複数の前記カプセル型応力発光素子を、バインダーを用いて支持体上に固定するか、又はバインダーを用いて一対の支持体間に固定した請求項2乃至請求項4のいずれかに記載の応力発光装置。
【００４１】
(請求項15に記載の発明) 複数の前記カプセル型応力発光素子を、支持体中に分散した請求項2乃至請求項4のいずれかに記載の応力発光装置。
【００４２】
(請求項16に記載の発明) 前記支持体がシート又はフィルムからなる請求項5、請求項14又は請求項1 5 に記載のシート型応力発光素子。
【００４３】
(請求項17に記載の発明) 前記支持体が、柔軟性を有するシート又はフィルムからなり、全体として柔軟性を有する請求項5、請求項14又は請求項1 5に記載のシート型応力発光素子。
【００４４】
(請求項18に記載の発明) 前記応力発光素子の寸法を実質的にクレジット  カード、キャッシュカード、又は乗車券カードのカード  サイズとした請求項5、請求項14又は請求項1 5 に記載のカード型応力発光素子。
【００４５】
(請求項19に記載の発明) 前記応力発光素子に機械的エネルギーを付与する機械的エネルギー発生手段を設けた請求項1乃至請求項5のいずれかに記載の応力発光装置。
【００４６】
(請求項20に記載の発明) 前記応力発光素子を握るためのグリップ部材を前記応力発光素子に固定した請求項1乃至請求項5のいずれかに記載の応力発光装置。
【００４７】
(請求項21に記載の発明) 前記応力発光素子を部分的に固定する実質的に線状の支持部材を設けた請求項1乃至請求項5のいずれかに記載の応力発光装置。
【００４８】
(請求項22に記載の発明) 前記応力発光素子を吊るす実質的に線状の支持部材を設けた請求項1乃至請求項5のいずれかに記載の応力発光装置。
【００４９】
(請求項23に記載の発明) 前記応力発光素子を部分的に固定する弾性を有する実質的に線状の支持部材を設けた請求項1乃至請求項5のいずれかに記載の応力発光装置。
【００５０】
(請求項24に記載の発明) 前記壁及び、又は前記殻が、実質的に球、ドーム、円柱、多角柱、板、カード、楕円、ハート、クラブ、ダイアモンド (菱形)、スペード、リング、星、月、文字、図形から選ばれた一つの形状又はこれらを組み合わせた形状を有する請求項1乃至請求項5のいずれかに記載の応力発光装置。
【００５１】
(請求項25に記載の発明) 請求項1乃至請求項5のいずれかに記載の前記応力発光素子を有し、機械的エネルギーを検知する機械的エネルギー検知センサー。
【００５２】
(請求項26に記載の発明) 請求項1乃至請求項5のいずれかに記載の前記応力発光素子と、前記応力発光素子の発光を電気信号に変換する光電変換素子とを有し、衝撃、衝突又は加速度を検知するセンサー。
【００５３】
(請求項２７に記載の発明) 請求項3又は請求項4に記載の前記応力発光素子を有する風船。
【００５４】
(請求項２８に記載の発明) 請求項1乃至請求項5のいずれかに記載の前記応力発光素子を有する発光可能な人工植物。
【００５５】
(請求項２９に記載の発明) 請求項3又は請求項4に記載の前記応力発光素子を有する人工眼。
【００５６】
(請求項３０に記載の発明) 請求項1乃至請求項5のいずれかに記載の前記応力発光素子の少なくとも二つを吊るし、互いに衝突可能に配置した動的展示装置。
【００５７】
(請求項３１に記載の発明) 請求項1乃至請求項5のいずれかに記載の前記応力発光素子の複数を空中に水と共に又は水を用いずに放射し、ほぼ放射状に運動させ噴水状又は花火状に発光させる動的展示装置。
【００５８】
(請求項３２に記載の発明) 請求項1乃至請求項5のいずれかに記載の前記応力発光素子を有する装身具。
【００５９】
(請求項３３に記載の発明)  請求項1乃至請求項5のいずれかに記載の前記応力発光素子と振動発生手段又は送風手段とを有し、前記応力発光素子を回転運動させる動的展示装置。
【００６０】
(請求項３４に記載の発明)  請求項1乃至請求項5のいずれかに記載の前記応力発光素子と振動発生手段又は送風手段とを有し、前記応力発光素子を浮遊運動させる動的展示装置。
【００６１】
(請求項３５に記載の発明)  請求項1乃至請求項5のいずれかに記載の前記応力発光素子を、文字又は図形のパターン状に配置したパイプ状の光透過性を有する前記壁からなるパイプ部材内に循環させた表示装置。
【００６２】
(請求項３６に記載の発明)  請求項1乃至請求項5のいずれかに記載のいずれかに記載の前記応力発光素子を有する発光砂時計又は砂時計型発光装置。
【００６３】
(請求項３７に記載の発明)  請求項1乃至請求項5のいずれかに記載のいずれかに記載の前記応力発光素子を有する発光型擬似ローソク装置。
【００６４】
(請求項３８に記載の発明)  請求項1乃至請求項5のいずれかに記載のいずれかに記載の前記応力発光素子を有する表示装置。
【００６５】
(請求項３９に記載の発明)  請求項5又は請求項14乃至請求項1 ７のいずれかに記載の前記応力発光素子の異なる領域に選択的に機械的エネルギーを付与する機械的エネルギー発生素子を前記応力発光素子と対応して配置した表示装置。
【００６６】
(請求項４０に記載の発明)  請求項5又は請求項14乃至請求項1 ７のいずれかに記載の前記応力発光素子のX-Yマトリクス状の交差部を画素とし、表示すべき情報を含む電気信号によって変調された機械的エネルギーを付与する複数の電気、機械的エネルギー変換素子を前記画素と対応して配置した表示装置。
【００６７】
(請求項４１に記載の発明)  請求項5又は請求項14乃至請求項1 ７のいずれかに記載の前記応力発光素子を、表示すべき情報を含む電気信号によって変調された機械的エネルギーを付与する電気、機械的エネルギー変換素子を有する走査ヘッドにより走査する表示装置。
【００６８】
本発明においては、前記特許文献に記載の無機物質からなる機械的エネルギーの印加、即ち機械的刺激により発光する応力発光材料を使用できる。本発明においては、前記特許文献に記載の有機物質からなる応力発光材料を使用しても良い。本発明で用いられる応力発光材料としては、徐等が開発したアルミナに発光元素を加えて生成した無機応力発光材料が弾性領域における微弱な機械的外力でも発光する点で好ましく用いられる。本発明で用いられる無機、有機の応力発光材料は、これらに限定されず、応力、外力の印加により発光する如何なる応力発光材料も使用できる。
【００６９】
本発明によると、応力発光材料、摩擦発光材料、メカノルミネッセンス材料を利用することにより、電源を必ずしも必要としない無電源の、燃料、化学発光材料を必要としない無燃料の発光素子、照明 (ライティング) 装置、発光装置などが得られる。
【００７０】
本発明によると、例えば単に左右、前後、上下などに振るか、揺らすか、回転させることにより発光させることができる新規な発光素子、発光照明素子が得られる。
【００７１】
本発明の他の目的、効果は、以下に記載する「発明を実施するための最良の形態」の各種の本発明の実施の形態により明らかとなる。
【発明を実施するための最良の形態】
【００７２】
本発明の各種の実施の形態を以下に添付図面を参照して記載する。
【００７３】
(第1の実施の形態、第1実施例)  
【００７４】
本発明の第1の実施の形態を図1乃至 図３、図４Ａ、図４Ｂ、図５Ａ、図５Ｂを参照して説明する。
【００７５】
図1は本発明の第1実施の形態の応力発光装置100の使用方法の代表例を示す概略斜視図である。図2は第1実施の形態の応力発光素子100の概略立面図である。図3は図2のＡ−Ａ線に沿って切断した概略拡大部分断面図である。図４Ａ、図４Ｂ、図５Ａ及び図５Ｂは、4種類の粒子状発光体を示す概略拡大断面図である。
【００７６】
図1、図2、図3に示すように、第1実施の形態の応力発光装置100は、発光素子10と発光素子10の一端に固定された取手、グリップ、ハンドルなどの比較的に長い長尺部材50とからなる。
発光素子10は、透明、半透明の光透過性を有する中空容器20とその内部に収容された応力発光材料を含有した複数の粒子状応力発光部材30とからなる。
【００７７】
中空容器20は、光透過性樹脂、光透過性エラストマー樹脂、光透過性ゴムなどからなる光透過性を有する例えば0.1乃至10ミリメートル程度の所定の厚みの壁、殻20と、前記壁、殻によって囲まれた空間、空洞からなる収容室40を有し、ドーム状などのほぼ球状の光透過性中空球状部材からなることができる。
【００７８】
前記中空容器、即ち壁、殻20の素材としては、例えばアクリル樹脂 (AC) 、ポリカーボネート樹脂 (PC)、ポリエチレン  テレフタレート樹脂 (PET) などの熱可塑性ポリマー (高分子材料)、エポキシ樹脂などの熱又は光硬化性ポリマー、天然ゴム又はスチレン・ブタジエンゴム、ポリブタジエンゴム、ニトリルゴムなどの合成ゴムなどの架橋タイプのエラストマ ー、スチレン・ブタジエン系高分子、スチレン・イソプレン系高分子などの熱可塑性エラストマ ー、ガラス、強化ガラスなどの無機ガラスなどの光透過性と適度の硬度を有するものが用いられる。
【００７９】
光透過性の壁、殻20の外側表面、内側表面を例えばサンドブラスト法などにより租面処理するか、前記外側表面、内側表面に光透過性散乱塗料、インクの塗布層を形成するか及び、又は光透過性の壁、殻20の内部に例えば壁、殻20と屈折率の異なるアクリル、ポリカーボネートなどの透明樹脂、透明ガラスからなるピード (小球) などの複数の光散乱性粒子を予め分散しても良い。
【００８０】
粒子状応力発光部材30は、応力発光材料を含有し、粒子状、粉状、ペレット状、粒状、小片状などの形体を有する。
【００８１】
中空容器20には、その収容室40の内部で比較的に自由に移動できる程度の量の複数の粒子状応力発光部材30を入れるか、充填する。
【００８２】
ハンドル、グリップ部材50は硬化性、熱可塑性樹脂、エラストマー、木材、金属などの任意な素材からなることができる。
【００８３】
図3に示すように、この実施の形態では、底部が開いたドーム状の中空容器20とハンドル部材50の上端部との接触部分51は接着剤などにより固定され、中空容器20とハンドル部材50とは強固に一体化されている。中空容器20とハンドル部材50とを強固に一体化できれば、ネジ結合など他の任意の手段を用いて良いことは当然である。 
【００８４】
この実施の形態では、ハンドル部材50の上端近辺に、ドーム状の中空容器20の底部の開口部の一部と外部と連通する貫通孔52と貫通孔52を閉じる栓53が設けられ、粒子状応力発光部材30を中空容器20の収容室40に充填又は交換するのに用いることができる。粒子状応力発光部材30を後から交換する必要がない場合などには、粒子状応力発光部材30を収容室40に充填後に中空容器20とハンドル部材50とを一体化すればよい。図3に示すように、
【００８５】
粒子状応力発光部材30は、例えば前記特許文献などに開示されているように、各種の機械エネルギーを加えることにより発光し得る公知の応力発光材料を含有するものである。
【００８６】
更に詳しくは、粒子状応力発光部材30とは、粒体、粉体、顆粒、ペレット(小球、小粒)、グラニュール、ビィーズ (玉) などを含む広義の粒子形状の応力発光粒子、又は複数の前記応力発光粒子を透明、半透明の例えば例えばアクリル樹脂 (AC) 、ポリカーボネート樹脂 (PC)、ポリエチレン  テレフタレート樹脂 (PET) などの熱可塑性ポリマー (高分子材料)、エポキシ樹脂などの熱又は光硬化性ポリマー、天然ゴム又はスチレン・ブタジエンゴム、ポリブタジエンゴム、ニトリルゴムなどの合成ゴムなどの架橋タイプのエラストマ ー、スチレン・ブタジエン系高分子、スチレン・イソプレン系高分子などの熱可塑性エラストマ ーなどの光透過性高分子材料からなり、粒体、粉体、顆粒、ペレット(小球、小粒)、グラニュール、ビィーズ (玉) などを含む前記応力発光粒子よりも大きい広義の透明、半透明の粒子状部材の中に分散して内蔵した形状の前記応力発光粒子内臓粒子状部材を意味する。 
【００８７】
収容室40に水、シリコーン油などの適当な比重を有する不燃液体 (図示せず) を入れるか、充填して密封してもよい。また粒子状応力発光部材30と不燃液体の比重を相似させても良い。
【００８８】
粒子状応力発光部材30よりも比重の大きい鋼球など金属球、又は粒子状応力発光部材30よりもより大きく、より重くした金属、樹脂球などの少なくとも一つの攪拌、攪乱用球状部材を加えることができる。それにより応力発光素子10に、衝撃、振動などの機械的エネルギーを加えるときに複数の粒子状部材30を攪拌、攪乱、飛躍させて、出来るだけ粒子状応力発光部材30を壁の内面と衝突させるチャンスを促進するか、または粒子状応力発光部材30同志が衝突、摩擦するチャンスを促進することができる。
【００８９】
図4Aに示す粒子状応力発光部材30A は、前記応力発光粒子それ自体からなる。図4Bに示す粒子状応力発光部材30Bは、透明、半透明の光透過性を有する粒子状有機部材30Bbの中に複数の前記応力発光粒子30Baを分散させたものである。
【００９０】
粒子状有機部材30Bに用いられる素材としては、例えば例えばアクリル樹脂 (AC) 、ポリカーボネート樹脂 (PC)、ポリエチレン  テレフタレート樹脂 (PET) などの熱可塑性ポリマー (高分子材料)、エポキシ樹脂などの熱又は光硬化性ポリマー、天然ゴム又はスチレン・ブタジエンゴム、ポリブタジエンゴム、ニトリルゴムなどの合成ゴムなどの架橋タイプのエラストマ ー、スチレン・ブタジエン系高分子、スチレン・イソプレン系高分子などの熱可塑性エラストマ ーなどを挙げることができる。
【００９１】
図5Aに示す粒子状応力発光部材30Cは、例えばシリコーン樹脂、エポキシ樹脂、アクリル樹脂、エポキシ樹脂、ゴム系等からなる硬化性又は非硬化性 (乾燥性) の光透過性有機バインダー30Ca2に複数の前記応力発光粒子30Ca1を分散させた応力発光粒子分散膜、層30Caを、有機物質、無機物質、金属、木材、植物の種などの天然又は人工の任意の粒子状部材30Cbの少なくとも表面に部分的、又は全面的に被覆、含浸したものである。
【００９２】
図5Bに示す粒子状応力発光部材30Dは、図4Bに示した粒子状応力発光部材30Bの内部に少なくとも一つの空洞、気泡を有するものである。
【００９３】
即ち、粒子状応力発光部材30Dは、空洞、気泡30Dcを内部に有する光透過性を有する粒子状有機部材30Dbの中に複数の前記応力発光粒子30Daを分散させたものである。
【００９４】
図４Ａ、図４Ｂ、図５Ａ及び図５Ｂでは、粒子状応力発光部材30A、30B 、30C、 30Dの形状を円形で示したが、その形状は例えば楕円形、多角形、矩形など任意であり、また例えばハート、クラブ、ダイアモンド (菱形)、スペードなどのトランプ (遊戯カード) のパターン、その他のデザインされた任意のパターンを持つ形状とすることができる。
【００９５】
取手、グリップ、ハンドルなどの比較的に長い長尺部材50の素材としては、任意の樹脂、エラストマー樹脂、ゴム又はその組み合わせを用いることができる。その替わりに、長尺部材50として、例えば鉄、銅、アルミニュームなどの適度の柔軟性と形状を保持できる程度の硬度をもつ通常の金属を棒状にしたもの、又は金属を線状にして撚り線にしたもの、コイル状スプリング、コイル状スプリングを任意の樹脂、エラストマーなどのポリマーで被覆したもの、ポリマーの棒状部材にコイル状スプリングを被覆したものを用いても良い。
【００９６】
(応力発光装置１００の使用方法)
【００９７】
図１によって、この応力発光装置１００を使用方法、操作方法、取扱方法の一つの例を説明する。この使用方法は後述する他の全ての実施の形態でも共通して適用できる。
【００９８】
図１において、既に詳細に記述したように、応力発光装置１００は、ドーム状、球状などの透明、半透明の光透過性球状壁、殻20の内部空間、空洞40 (収容室) に、衝撃、摩擦などの力 (機械的エネルギー) を加えると発光することができる応力発光材料を含有する複数の粒子状応力発光部材30を入れた応力発光素子10と、応力発光素子10の一端に固定した比較的に長い長尺部材50とからなる。
【００９９】
応力発光装置１００の長尺部材50をグリップ部、ハンドル部として手 "H" で握り、手 "H" を左右に往復して複数回、揺らす "S: シェーク" か、回転 "R: ローテート" させる。こ操作方法は、パーカッション (衝突) 楽器、シェーカー (振動) 楽器などの南米原産のマラカス楽器に類似していて簡単である。
【０１００】
この手 "H: ハンド" の動きと対応して、粒子状応力発光部材30が球状壁、殻20の内面と衝突、接触又は摩擦され、又は粒子状応力発光部材30同志が衝突、接触又は摩擦され、応力発光素子10に動的機械エネルギーが付与される。その結果、応力発光素子10は光線 "L" を発し、光透過性の球状壁、殻20から発光が出射する。
【０１０１】
この例では、人力により応力発光素子１０に動的機械エネルギーを与え、与えられた機械エネルギーにより応力発光素子１０が発光するわけである。従って、この場合、応力発光素子10、応力発光装置１００を発光させるのに一切の電力、燃料を必要としない。
【０１０２】
手の動作を停止すると、応力発光素子10に含有された応力発光材料に残光性がない場合には、
応力発光素子１００は瞬間又は短時間後に発光 "L" を停止する。
【０１０３】
応力発光素子10に含有された応力発光材料に残光性がある場合または応力発光素子10に応力発光材料に蓄光性蛍光材料を加え応力発光材料の発光により蓄光性蛍光材料を励起する場合には、手の動作を停止しても、応力発光素子10、応力発光素子１００は比較的に長時間にわたり発光 "L" を継続させることができる。 
【０１０４】
(応力発光素子１００の別の使用方法)
【０１０５】
応力発光素子１００の 一部分を壁、床などの他の物体に叩きつけると、その衝撃が応力発光素子10に伝達され発光する。
【０１０６】
(応力発光素子１００の更に別の使用方法)
【０１０７】
応力発光素子１００の少なくとも 一部分を、振動を発生する振動発生物体に接触、固定、又は組み込んで、その振動などの機械的エネルギーが応力発光素子10に伝達され発光する。
【０１０８】
(第2実施の形態) 
【０１０９】
本発明の第2実施の形態を図1、図2、図3、図6A、図6B、図7A、図7Cを参照して説明する。図1、図2、図3については、既に詳細に記載したのでその説明は省略する。図6A、図6B、図7A、図7Cは、図1のB-B線に沿って切断した前記中空容器20の壁、殻の一部を拡大した概略拡大部分断面図である。
【０１１０】
第1実施の形態では応力発光材料を粒状部材30に含有して応力発光粒状部材としているのに比較して、第2実施の形態では粒状部材30には応力発光材料を含有しておらず、その替わりに応力発光素子10の容器を構成する壁、殻20に応力発光材料を含有している。その他の構成は、第2実施の形態と第1実施の形態とは同様であるので共通部分の説明は省略する。
【０１１１】
図6Aに示すように、容器、壁20Aは、非光透過性で良い例えば0.1乃至10ミリメートル程度の所定の厚みの壁20A1と、壁20A1の外面20A4に全面的、部分的に真空蒸着法、スパッタリング法によって成膜された応力発光材料の単体らなる応力発光材料膜20A2とからなるか、又は光透過性の所定の厚みの壁20A1と、壁20A1の内面20A5に全面的、部分的に真空蒸着法、スパッタリング法によって成膜された応力発光材料の単体らなる応力発光材料膜20A3とからなる。
【０１１２】
応力発光材料膜20A2は壁20A1の外面20A4に形成されているので、壁20A1の素材として鉄、銅、真鍮、錫、ステンレス鋼、チタニュームなどの非光透過性金属、または非光透過性、光透過性樹脂、ガラス、カーボンなどのファイバーに樹脂を含浸させて強化した繊維強化樹脂 (FRP) などの比較的に弾力性、耐衝撃性のあるものを使用できる。
【０１１３】
応力発光材料膜20A3は壁20A1の外面20 A5に形成されているので、応力発光材料膜20A3からの発光を外部に出射するために、壁20A1の素材として第1実施例で記述した光透過性の樹脂、エラストマー樹脂、シリコーンゴムなどを用いることができる。
【０１１４】
容器、壁20A1として、例えばアクリル樹脂 (AC) 、ポリカーボネート樹脂 (PC)、ポリエチレン  テレフタレート樹脂 (PET) などの熱可塑性ポリマー (高分子材料)、エポキシ樹脂などの熱又は光硬化性ポリマー、天然ゴム又はスチレン・ブタジエンゴム、ポリブタジエンゴム、ニトリルゴムなどの合成ゴムなどの架橋タイプのエラストマ ー、スチレン・ブタジエン系高分子、スチレン・イソプレン系高分子などの熱可塑性エラストマ ー、ガラス、強化ガラスなどの無機ガラスなどの光透過性と適度の硬度を有するものを用いても良く、壁20A1の内面20A3に全面的、部分的に応力発光材料膜20A2と同様な応力発光材料の単体らなる応力発光材料膜20A4を形成することができる。
【０１１５】
図6Bに示すように、容器、壁20Bは、例えば0.1乃至10ミリメートル程度の所定の厚みの光透過性の壁20B1と、壁20B1の内面20B4に全面的、部分的に複数の応力発光材料粒子、応力発光材料粒子を含有する応力発光材料粒子含有粒状体20B2aを光透過性のバインダー樹脂20B2bに分散させた応力発光材料分散膜20B2とからなる。この場合、壁20B1の外面20B3に応力発光材料分散膜を設けていない。
【０１１６】
図7Aに示すように、容器、壁20Cは、例えば0.1乃至10ミリメートル程度の所定の厚みの光透過性、非光透過性の壁20C1と、壁20C1の外面20B3に全面的、部分的に複数の応力発光材料粒子、応力発光材料粒子を含有する応力発光材料粒子含有粒状体20C2aを光透過性のバインダー樹脂20C2bに分散させた応力発光材料分散膜20C2とからなる。この場合、壁20C1の外面20B4に応力発光材料分散膜を設けていない。
【０１１７】
図7Bに示すように、容器、壁20Dは、例えば0.1乃至10ミリメートル程度の所定の厚みの光透過性の壁20Dと、壁20D2の内部に複数の応力発光材料粒子、応力発光材料粒子を含有する応力発光材料粒子含有粒状体20D1を分散させたものである。この容器、壁20Dは、光透過性の樹脂などの壁となる素材に予め複数の応力発光材料粒子、応力発光材料粒子を含有する応力発光材料粒子含有粒状体20D1を混合、分散させ成型して製造することができる。
【０１１８】
前述の「粒子発光型」発光素子と「容器壁発光型」発光素子を組み合わせても良く、「粒子発光及び容器壁発光型発光素子」は「粒子発光型」発光素子と「容器壁発光型」発光素子の発光輝度が加算された発光が得られる。
【０１１９】
(第3実施形態) 本発明の第3実施形態を図8を参照して説明する。
【０１２０】
図8は、本発明の第3実施の形態の応力発光素子の一部を断面として示す概略立面図である。
【０１２１】
本発明の第3実施形態は、前述の本発明の第1、第2実施の形態の一変形である。
【０１２２】
図8に示すように、応力発光素子110は、発光素子11とその一端に固定された取手、グリップ、ハンドルなどの比較的に長い長尺部材50とからなる。
【０１２３】
発光素子11は、透明、半透明の光透過性を有する中空容器20とその内部に収容された応力発光材料を含有した複数の粒子状応力発光部材30とからなる。
【０１２４】
中空容器20は、壁、殻21と、前記壁、殻21と少なくとも一つの光透過性又は光反射性の仕切り壁25とによって囲まれた空間、空洞からなる少なくとも二つの収容室40a、40bとを有し、ドーム状などのほぼ球状の光透過性中空球状部材からなることができる。
【０１２５】
複数の粒子状応力発光部材30が、収容室40a、40bに可動自在に充填されている。粒子状応力発光部材30については、図4A、図4B、図5A、図5Bを参照して既に詳記したのでここではその説明は省略する。
【０１２６】
粒子状応力発光部材30の替わりに、応力発光材料を含まない通常の非発光性粒子状部材を用い、図6A、図6B、図7A、図7Bに示すように壁21に応力発光材料を含有させても良い。
【０１２７】
粒子状応力発光部材30を用いると共に、壁21に応力発光材料を含有させても良い。
【０１２８】
(第4実施の形態) 
【０１２９】
本発明の第4実施の形態を図9、図10を参照して説明する。
【０１３０】
図9は、本発明の第4実施の形態を示す応力発光素子を示す概略斜視図である。
【０１３１】
図10は、図9のC-C線に沿って切断し応力発光素子を拡大して示す概略部分拡大断面図である。
【０１３２】
図9、図10に示すように、応力発光装置120は、応力発光素子12とその一端に固定された取手、グリップ、ハンドルなどの比較的に長い長尺部材50とからなる。
【０１３３】
応力発光素子12は、透明、半透明の光透過性を有する円筒状部材 (中空容器) 22と、その壁23によって囲まれた空間、空洞からなる収容室41と、収容室41に可動自在に収容された応力発光材料を含有した複数の粒子状応力発光部材30とからなる。
【０１３４】
円筒状部材 (中空容器) 22の頂部の円盤状部材の一部には、粒子状応力発光部材30の出入り孔23aと出入り孔23aをふさぐ着脱できる蓋23bが設けられている。
【０１３５】
円筒状部材 (中空容器) 22の低部の円盤状部材は、接着剤54などにより長尺部材50の頂面に強固に固定されている。
【０１３６】
粒子状応力発光部材30については、図4A、図4B、図5A、図5Bを参照して既に詳記したのでここではその説明は省略する。
【０１３７】
粒子状応力発光部材30の替わりに、応力発光材料を含まない通常の非発光性粒子状部材を用い、図6A、図6B、図7A、図7Bに示すように壁21に応力発光材料を含有させても良い。
【０１３８】
粒子状応力発光部材30を用いると共に、壁21に応力発光材料を含有させても良い。
【０１３９】
(第5実施の形態) 
【０１４０】
本発明の第5実施の形態を図11を参照して説明する。
【０１４１】
図11は本発明の第5実施の形態を示す応力発光素子の主要部を示す概略部分斜視図である。
【０１４２】
図11に示すように、第5実施の形態の応力発光装置130は、対向する第1の端末部55aと第2の端末部55bとを有する適度の硬度と柔軟性又は弾力性を有する長尺部材55と、長尺部材55の第1の端末部55aにその一端である底面が固定された応力発光素子12と、応力発光素子12の頂面に固定された錘部材60とからなる。
【０１４３】
応力発光素子12は、図9、図10を参照して記述したものと同様に、透明、半透明の光透過性を有する円筒状部材 (中空容器) 22と、円筒状部材22の壁23によって囲まれた空間、空洞からなる収容室41と、収容室41に可動自在に収容された応力発光材料を含有した複数の粒子状応力発光部材30とからなる。
【０１４４】
長尺部材55としては、所定の長さを持つ中実の柱状部材又は中空の筒状部材などを用いることができる。この実施の形態では図11に示すように、応力発光素子12、長尺部材55及び錘部材60は外形が全て同じ直径を有する円柱体であり、即ち応力発光装置130は、外形が所定の直径を有する円柱である。
【０１４５】
柔軟性又は弾力性を有する長尺部材55の素材としては、ゴム弾性体、エラストマー樹脂などの高分子弾性体、弾性金属線状体を螺旋状に巻いて延長したバネ弾性体 (コイル・スプリング)、及びこれらの弾性複合体を用いることができる。
【０１４６】
更に、前記弾性複合体としては、前記高分子弾性体を被覆した長尺なコイル・スプリング、外径が長尺な前記高分子弾性体より小さなコイル・スプリングを芯 (コア) として長尺な前記高分子弾性体の延長軸に沿って埋設したもの、コイル・スプリングを長尺な前記高分子弾性体の外周表面に沿って前記高分子弾性体の長さ方向に沿って巻きつけたものを用いることができる。
【０１４７】
錘部材60としては、例えば長尺部材55よりも比重の大きい鉛、鉄、銅、亜鉛、錫などの金属、金属化合物を用いても良い。
【０１４８】
長尺部材55は、未使用時にほぼ真直ぐな状態を維持できる程度の適度の硬度を有し、かつ使用時にその一端部55b近辺を例えば手でグリップして手動などにより左右、上下、回転などの外力を与え、長尺部材55に屈折、振動、湾曲などの可逆的変形を行わせることができる。それにより応力発光素子12に機械的エネルギーを十分に付与することができ、応力発光素子12を比較的に輝度の高い発光をさせることができる。
【０１４９】
(第6実施の形態) 
【０１５０】
本発明の第6実施の形態を、図12を参照して説明する。図12は本発明の第6実施の形態を示す応力発光素子の主要部を示す概略部分斜視図である。
【０１５１】
本発明の第6実施の形態は、図11を参照して記載した本発明の第5実施の形態の一変形であるる。
【０１５２】
図12に示すように、第6実施の形態の応力発光装置140は、対向する第1の端末部55aと第2の端末部55bとを有する適度の硬度と柔軟性又は弾力性を有する長尺部材55と、長尺部材55の第1の端末部55aにその一端である底面が固定された第1の応力発光素子12Aと、第1の応力発光素子12Aの頂面に固定された第2の応力発光素子12Bと、第2の応力発光素子12Bの頂面に固定された錘部材60とからなる。
【０１５３】
第1の応力発光素子12A、第2の応力発光素子12Bは、図9、図10を参照して記述したものと同様に、それぞれ光透過性を有する第1、第2の円筒状部材 (中空容器) 22a、22bと、第1、第2の円筒状部材の第1、第2の壁22a、22bなどによって囲まれた空間、空洞からなる第1、第2の収容室41a、41bと、収容室41a、41bに可動自在に収容された応力発光材料を含有した複数の粒子状応力発光部材30とからなる。
【０１５４】
第2の応力発光素子12B、錘部材50と同様な他の錘部材を長尺部材55の他方の端部55bに固定しても良く、手動操作するときには、長尺部材55のほぼ中間を手でグリップすることができる。
【０１５５】
第1の応力発光素子12A、第2の応力発光素子12Bを長尺部材55のほぼ中間に固定しても良く、また錘部材50を長尺部材55の一端部55aに固定し、更に錘部材50を長尺部材55の一端部55aに固定し、他の錘部材を長尺部材55の他端部55bに固定しても良い。この場合、手動操作するときには、長尺部材55の両端部55a、55bの近辺を両手でグリップすることができる。
【０１５６】
(第7実施の形態) 
【０１５７】
本発明の第7実施の形態を、図13を参照して説明する。図13は、本発明の第7実施の形態を示す応力発光素子を示す概略展開斜視図である。
【０１５８】
図13に示すように、第7実施の形態の発光素子13は、対向する一方又は両方が光透過性の第1のシート24Aと第2のシート24Bと、第1のシート24Aと第2のシート24Bとの間に設けられた例えば矩形などの切欠き部、空間などの任意の形状の貫通孔42を有するシート状スペーサー25Aと、貫通孔42に挿入された複数の粒子状応力発光部材30とからなる。
【０１５９】
第1のシート24A、シート状スペーサー25A、第2のシート24Bは、貫通孔42に複数の粒子状応力発光部材30を配置した状態で、上記順序でエポキシ系接着剤などの接着剤により接着、又はシート24A、24B、シート状スペーサー25A同士の加熱溶着などの接合により、一体化して全体として、粒子状応力発光部材が内部で移動、可動し得る中空積層体 (ラミネート) シートからなる応力発光素子13を構成する。
【０１６０】
第1のシート24A、第2のシート24B、シート状スペーサー25Aは、ポリエステル、塩化ビニル、フクリル、ポリカーボネート、ナイロンなどの樹脂シート、紙、合成紙などの任意のシート状部材であり、少なくとも第1のシート24A、第2のシート24Bの少なくとも一方は、粒子状応力発光部材30の発光を外部に出射させるために、シート状スペーサー25Aの貫通孔42と対向した領域を透明、半透明などの光透過性にする必要がある。
【０１６１】
シート状スペーサー25Aとしてホットメルトシート、スペーサー粒子を均一に混入した両面接着剤、シートの両面に予め接着剤を塗布したものなどを用いても良い。
【０１６２】
この応力発光素子13は、例えば服のポケット、財布、定期入れ、鞄に入れて持ち歩くのに便利なようにクレジットカード、キャッシュカード、定期券カードなどの携帯容易なカードサイズにすることができる。従ってこのカード型応力発光素子13は、薄型で常時携帯でき、懐中電灯と異なり電池を用いていないので電池の容量の不足を何ら気にすることがなく、停電時、緊急時の非常灯として極めて有用である。
【０１６３】
(カードサイズの応力発光素子13の一具体例)
【０１６４】
少なくとも一方が光透過性、光散乱透過性の第1のシート24A、第2のシート24Bとして厚さ約10ミクロン乃至約1000ミクロンの間の例えば50ミクロンのポリエステルなどのクレジットカード、キャッシュカード、定期券カードなどに規定された所定の寸法のほぼ矩形の樹脂シート、樹脂フィルムを用いる。
【０１６５】
シート状スペーサー25Aとしてほぼ中央部に例えば矩形 (図13参照)、楕円形、多角形、星形、月型、太陽形、ハート型、文字型、数字型など任意のパターン形状に打ち抜いたパンチホール25Bを設けた厚さ約10ミクロン乃至約1000ミクロンの間の例えば500ミクロンのポリエステルなどの所定の寸法のほぼ矩形の樹脂シート、樹脂フィルムを用いる。
【０１６６】
パンチホール25Bと対向する第1のシート24A、第2のシート24Bの内面とから構成される空間に、第1のシート24A、第2のシート24Bの内面間の間隔より小さな平均粒径が例えば約10ミクロン乃至約300ミクロンの粒子状応力発光部材30を挿入し、接着などによりシールする。このようにしてカードサイズの携帯に便利な応力発光素子13が得られ、例えば必要時に応力発光カード13の一部を手で握り、揺らして振動などを与えるだけの簡単な操作により発光させることができる。
【０１６７】
この応力発光素子13は、例えば目的に応じた任意の寸法の少なくとも一方が光透過性、光散乱透過性の第1のシート24A、第2のシート24Bと粒子状応力発光部材30を挿入した例えば矩形、楕円形、多角形、星形、月型、太陽形、ハート型、文字型、数字型など絵柄の任意のパターン形状の複数の空間を異なる領域に形成したシート状スペーサー25Aとを一体化した応力発光シート13とすることができる。
【０１６８】
この応力発光シート13は、少なくとも一つの任意の形状のパターン形状で発光させることができる、葉書、クリスマスカード、誕生祝、結婚祝、年賀状などのグリーティング・カード、絵本、漫画などの本などの通常の印刷物に適用することができる。
【０１６９】
少なくとも一つの任意の形状のパターン形状の応力発光シート13を通常の印刷物に部分的に、又は全面的に貼り付けても良い。
【０１７０】
例えばその一部を手で握って振るなど手動又は他の振動付与手段と接触させることにより、任意のパターン形状に発光させることができる。
【０１７１】
応力発光シート13は任意の振動付与手段により機械的エネルギーを印加した後に、所定時間、粒子状応力発光部材30を残光させるために、応力発光材料自体で残光性のあるものを選択して用いるか、または応力発光材料含有層内に更に応力発光材料の発光により励起され、所定時間後に蛍光を発する公知の蓄光性蛍光体を含有させても良い。
【０１７２】
(第8実施の形態) 
【０１７３】
第8実施の形態は、図11を参照して記述した本発明の第5実施の形態の一変形であり、ローソクを模した擬似ローソク型応力発光装置である。
【０１７４】
本発明の第8実施の形態を、図14を参照して説明する。図14は本発明の第8実施形態を示し、主要部の一部を断面として示す応力発光装置の概略立面図である。
【０１７５】
図14に示すように、応力発光装置150は、ローソクの炎を模した外形の炎型応力発光素子12Cと、炎型応力発光素子12Cの底部に一端部55aが固定された長尺部材55とからなる。
【０１７６】
炎型応力発光素子12Cは、光透過性、光散乱透過性を有する壁23Cと壁23Cによって囲まれた空間、空洞からなる収容室41Cと、収容室41Cに可動自在に収容された応力発光材料を含有した複数の粒子状応力発光部材30とからなる。
【０１７７】
長尺部材55の底部である他端部55bに、長尺部材55を固定し、バッテリーなどの直流電源 "DCP"とインバーター "INV" を収容する台部55cが設けられている。長尺部材55としては、所定の長さを持つ中実の柱状部材又は中空の筒状部材などを用いることができる。
【０１７８】
圧電素子 "VIBa" が、炎型応力発光素子12Cと直接的に振動結合するように長尺部材55の頂部である一端部55aの近辺に収容されている。この場合、長尺部材55としては任意の素材から構成することができる。
【０１７９】
圧電素子 "VIBa"の替わりに、他の圧電素子 "VIBb" が、炎型応力発光素子12Cと長尺部材55の長さを経由して間接的に振動結合するように長尺部材55の底部である他端部55bの近辺に収容されている。この場合、長尺部材55としてはゴム弾性体、エラストマー樹脂などの高分子弾性体、弾性金属線状体を螺旋状に巻いて延長したバネ弾性体 (コイル・スプリング)、及びこれらの弾性複合体などの柔軟性又は弾力性を有する素材から構成するのが望ましい。
【０１８０】
直流電源 "DCP" の直流電圧をインバーター "INV" に供給すると、インバーター "INV" は直流電源 "DCP"の直流電圧を交流、パルス電圧などの交番電圧に変換し、この交番電圧が圧電振動 "VIBa" 、"VIBb" を駆動して超音波などの交番振動を発生する。
【０１８１】
圧電素子 "VIBa" 、"VIBb" で発生した交番振動は、圧電素子 "VIB" と直接又は間接的に長尺部材55の長さを経由して振動結合した炎型応力発光素子12Cに伝達され、複数の粒子状応力発光部材30は左右、前後などに移動し、粒子状応力発光部材30同志間で衝突、摩擦、接触し、及び、又は粒子状応力発光部材30と壁23Cの内面と衝突、摩擦、接触し、その結果、粒子状応力発光部材30は発光し、この発光 "L" は光透過性、光散乱透過性の壁23Cを経由して外部に出射する。
【０１８２】
本実施の形態では、振動付与手段として圧電素子 "VIBa" 、"VIBb" を用いたが、手動、電磁バイブレーター、振動モーターなど他の振動付与手段を用いることができることは勿論である。
【０１８３】
(第9実施の形態) 
【０１８４】
第9実施の形態は、カプセル型の応力発光素子である。
【０１８５】
本発明の第9実施の形態を、図15を参照して説明する。図15は本発明の第9実施の形態のカプセル型応力発光素子を示し、応力発光素子の一部を断面として示す概略部分断面図である。
【０１８６】
図15に示すように、第8実施の形態のカプセル型応力発光素子15は、光透過性、光散乱透過性の球状などの任意の形状の壁からなる殻 (シェル) 26と、前記殻26の内部空間、空洞43に移動可能、可動自在に内蔵して配置され、機械エネルギーの印加により発光する応力発光材料を含有する粒子状発光部材からなる一つ又は複数の応力発光芯 (コア) 30とからなる。
【０１８７】
壁、殻 (シェル) 26の材料、構成は、前述の各種実施の態様の壁20、21、22a 、22b、22c、23と同様であるのでその記述はここでは省略する。また、前述の壁20A、20B、20C 、20Dと同様に壁、殻 (シェル) 26に応力発光材料を含有させても良い。
【０１８８】
応力発光芯 (コア) 30の材料、構成は、前述の各種実施の態様の粒子状発光部材30、 30A、 30B、 30C、30Dと同様であるのでその記述はここでは省略する。
【０１８９】
カプセル型応力発光素子15は、外力を印加したときにその前記機械エネルギーによって、前記殻26と前記応力発光芯 (コア) 30との間、及び、又は前記応力発光芯 (コア) 30同士の衝突、接触及び、又は摩擦を生じ、前記応力発光芯 (コア) 30が発光する。
【０１９０】
更に、前記殻26の内部に1個あたりの重量が応力発光芯 (コア) 30より重い金属、樹脂などからなる球形などの粒子状部材からなる一つ又は複数の攪拌部材27を内蔵しても良い。
【０１９１】
攪拌部材27は外力を印加したときにランダムな移動をし、前記応力発光芯 (コア) 30を攪拌、攪乱し、前記殻26と前記応力発光芯 (コア) 30との間、及び、又は前記応力発光芯 (コア) 30同士の衝突、接触及び、又は摩擦が発生する確率をを増進し、結果的にカプセル型応力発光素子15からより大量の発光をさせることができる。
【０１９２】
前記殻26の内部空間、空洞43に前記応力発光芯 (コア) 30に加えて液状体、ゲルを入れても前記応力発光芯 (コア) 30の残りの全ての体積に液状体、ゲル状体を充填しても良い。前記応力発光素子15の寸法は、例えば公告宣伝用バルーンのように比較的に大型、サッカー、野球、ゴルフ、ピンポンなどのスポーツ用ボールなどの中型、薬剤を内蔵したカプセルなどの小型のもの、顕微鏡的な大きさのマイクロカプセルなどの超小型まで使用目的によって任意に選択して用いられる。
【０１９３】
前記応力発光素子15の寸法は、例えば公告宣伝用バルーン、気象観測用気球のように例えば直径1〜100メーター程度の比較的に大型のもの、サッカー、バレーボール、野球ボール、テニスボール、ゴルフボール、ピンポンボールなどのスポーツ用ボール、卓上地球儀などの例えば直径1〜100センチメーター程度の中型のもの、薬剤を内蔵したカプセルなどの例えば直径1〜10ミリメーターの小型のもの、例えば直径1〜1000ミクロン程度の大きさのマイクロカプセルなどの超小型まで使用目的によって任意に選択して用いられる。
【０１９４】
(第10実施形態) 
【０１９５】
第10実施形態は、前述の第9実施形態の前記応力発光素子15の幾つかの変形であり、形状のみが前記応力発光素子15と異なる。
【０１９６】
本発明の第10実施形態を図16A、図16B、図16Cを参照して説明する。図16A、図16B、図16Cは本発明の第10実施の形態を示す応力発光素子の概略斜視図である。
【０１９７】
図16A、図16B、図16Cに示す応力発光素子15A、15B、15Cは第9実施形態の前記応力発光素子15と同様に、光透過性、光散乱透過性の球状などの任意の形状の壁からなる殻 (シェル) 26と、前記殻26の内部空間、空洞43に移動可能、可動自在に内蔵して配置され、機械エネルギーの印加により発光する応力発光材料を含有する粒子状発光部材からなる一つ又は複数の応力発光芯 (コア) 30とからなる。
【０１９８】
図16A、図16B、図16Cに示すように、応力発光素子15A、15B、15Cはそれぞれほぼ楕円形中空立体、中空円柱状立体、中空多角柱状立体の形状を有している。
【０１９９】
(第11実施形態) 
【０２００】
第11実施形態は、前述の第9実施形態の前記応力発光素子15の更に幾つかの変形であり、形状のみが前記応力発光素子15と異なる。
【０２０１】
本発明の第11実施形態を図17A、図17B、図17Cを参照して説明する。図17A、図17B、図17Cは本発明の第11実施の形態を示す応力発光素子の一部を断面として示す概略部分断面図である。
【０２０２】
図17A、図17B、図17Cに示す応力発光素子15D、15E、15Fは第9実施形態の前記応力発光素子15と同様に、光透過性、光散乱透過性の球状などの任意の形状の壁からなる殻 (シェル) 26と、前記殻26の内部空間、空洞43に移動可能、可動自在に内蔵して配置され、機械エネルギーの印加により発光する応力発光材料を含有する粒子状発光部材からなる一つ又は複数の応力発光芯 (コア) 30とからなるに示す応力発光素子
【０２０３】
図17Aに示す応力発光素子15Dは、遊戯用カード(トランプ)などの のハートの形状の中空立体をした装飾用応力発光素子であり、この他にも例えばトランプのダイヤモンド、クラブ、スペードなどの任意の中空立体をした装飾用、標識 (マーカー) 、標示 (サイン) 、表示 (ディスプレー) 用の応力発光素子である。
【０２０４】
図17Bに示す応力発光素子15Eは、ケーキのドーナツ状、アルファベット文字の "O" 字型などに類似の環状の形状の中空立体をした装飾用、標識 (マーカー) 、標示 (サイン) 、表示 (ディスプレー) 用の応力発光素子である。応力発光素子15Dは、環状の形状に限定されず、"O" 字型以外の任意のアルファベット文字の形状の中空立体にも適用できる。
【０２０５】
図17Cに示す応力発光素子15Fは、星型に類似の形状の中空立体をした装飾用、標識 (マーカー) 、標示 (サイン) 、表示 (ディスプレー) 用の応力発光素子である。応力発光素子15Fは、星型形状に限定されず、太陽型、ひまわり等の花型、月型など任意の形状の中空立体にも適用できる。
【０２０６】
前記カプセル型応力発光素子15、15A、15B、15C、 15D、15E、15Fは、前記殻26として膨張可能な光透過性、光散乱透過性のゴム弾性体を用い、その内部空間、空洞43に前記応力発光芯 (コア) 30を混入した空気などの気体及び、又は水などの液体を圧入させて例えば軟式野球ボール、風船のように膨らませて前記殻26としての球形などの所定の形状を保持させても良い。
【０２０７】
また前記カプセル型応力発光素子15、15A、15B、15C、 15D、15E、15Fは、前記殻26を膨張可能な導入孔付き風船状ゴム弾性体膜で構成し、前記導入孔又は前記導入孔に取り付けたバルブから前記風船状ゴム弾性体膜の内部に前記応力発光芯 (コア) 30を混入した例えばヘリューム等の空気より比重の小さな気体を加圧して注入させて膨らませ、その後に前記導入孔を封止することにより所定の立体形状を保持した風船、気球の形状にすることができる。
【０２０８】
この前記カプセル型応力発光素子15全体の比重を空気より小さくするときには、風船状、気球状の前記カプセル型応力発光素子15、15A、15B、15C、 15D、15E、15Fを空中に浮上、浮遊させることができると共に、風の影響で揺れたときに発光する。
【０２０９】
この浮遊可能な風船状、気球状の前記カプセル型応力発光素子15、15A、15B、15C、 15D、15E、15Fは、例えば玩具、遊戯、イベント、広告宣伝用などに用いることができる。
【０２１０】
前記カプセル型応力発光素子15、15A、15B、15C、 15D、15E、15Fは、前記殻26として膨張可能な光透過性、光散乱透過性のゴム弾性体を用い、その内部空間、空洞43に前記応力発光芯 (コア) 30と適量の錘用の水とを入れて空気を圧入して膨らませ発光可能なヨーヨー風船玩具とすることができる。この発光ヨーヨー風船玩具に従来と同様に吊り下げ用ゴム紐の一端を結合固定する。吊り下げ用ゴム紐の他端側を手に持って上下に弾力運動させることによりとこの発光ヨーヨー風船玩具を発光させることができる。
【０２１１】
(第12実施形態)  本発明の第12実施形態の応力発光素子は二重カプセル型応力発光素子の一例である。
【０２１２】
本発明の第12実施形態を図18を参照して説明する。図18は本発明の第12実施形態の一部を断面として示す応力発光素子の概略斜視図である。
【０２１３】
図18に示すように、二重カプセル型応力発光素子16は、光透過性、光散乱透過性のほぼ球状の形状の壁からなる第2の殻 (シェル) 27と、前記第2の殻27の内部空間、空洞44に移動可能、可動自在に内蔵して配置された一つ又は複数のカプセル型の応力発光素子15とからなる。
【０２１４】
カプセル型の応力発光素子15は、前述の第9実施の形態の応力発光素子15と同様のものであり、第1の殻 (シェル) 26と、前記第1の殻26の内部空間、空洞43に移動可能、可動自在に内蔵して配置された機械エネルギーの印加により発光する応力発光材料を含有する粒子状発光部材からなる一つ又は複数の応力発光芯 (コア) 30とからなる。
【０２１５】
第2の殻 (シェル) 27と前記第1の殻26を構成する素材は同様なもので良い。即ち、第2の殻 (シェル) 27構成する壁、殻 (シェル) 26の材料、構成は、前述の各種実施の態様の壁20、21、22a 、22b、22c、23と同様であるのでその記述はここでは省略する。
【０２１６】
第2の殻 (シェル) 27は前記第1の殻26、前述の壁20A、20B、20C 、20Dと同様に応力発光材料を含有させても良い。
【０２１７】
応力発光芯 (コア) 30の材料、構成は、前述の各種実施の態様の粒子状発光部材30、 30A、 30B、 30C、30Dと同様であるのでその記述はここでは省略する。
【０２１８】
更に、前記応力発光素子16の内部空間44に1個あたりの重量が前記応力発光素子15より重い金属、樹脂などからなる球形などの粒子状部材からなる一つ又は複数の攪拌部材 (図示せず) を内蔵しても良い。
【０２１９】
更に、前記応力発光素子15の内部空間43に1個あたりの重量が応力発光芯 (コア) 30より重い金属、樹脂などからなる球形などの粒子状部材からなる一つ又は複数の攪拌部材(図15参照)を内蔵しても良い。
【０２２０】
二重カプセル型応力発光素子16は、外力を印加したときにその前記機械エネルギーによって、前記第2の殻26と前記カプセル型の応力発光素子15との間、及び、又は前記カプセル型の応力発光素子15同士の衝突、接触及び、又は摩擦を生じ、前記第1の殻26及び、又は前記第2の殻27が発光する。
【０２２１】
更に前記カプセル型の応力発光素子15に外力が伝達され前記第1の殻26と前記応力発光芯30との間、及び、又は前記応力発光芯30同士の衝突、接触及び、又は摩擦を生じ、前記応力発光芯 (コア) 30及び、又は前記第1の殻26が発光する。
【０２２２】
(第13実施形態)
【０２２３】
本発明の第13実施形態の応力発光素子は二重カプセル型応力発光素子の他の一例である。
【０２２４】
本発明の第13実施形態を図19を参照して説明する。図19は本発明の第13実施形態の一部を断面として示す発光素子の概略斜視図である。
【０２２５】
図19に示すように、二重カプセル型応力発光素子16は、光透過性、光散乱透過性のほぼ円筒状の形状の壁からなる第2の殻 (シェル) 28と、前記第2の殻28の内部空間、空洞44に移動可能、可動自在に内蔵して配置された一つ又は複数のカプセル型の応力発光素子15とからなる。
【０２２６】
カプセル型の応力発光素子15は、前述の第9実施の形態の応力発光素子15と同様のものであり、第1の殻 (シェル) 26と、前記第1の殻26の内部空間、空洞43に移動可能、可動自在に内蔵して配置された機械エネルギーの印加により発光する応力発光材料を含有する粒子状発光部材からなる一つ又は複数の応力発光芯 (コア) 30とからなる。
【０２２７】
図18に示したほぼ球状の二重カプセル型応力発光素子15の一部、図19に示したほぼ円筒状の二重カプセル型応力発光素子16の一部に、棒状、紐状などのゴム、スプリング弾性体、非弾性体からなる任意の長尺部材の一端を固定し、その他端側を支点として外力を二重カプセル型応力発光素子15、16を加えてもよい。
【０２２８】
例えば図16A、図16B、図16C、図17A、図17B、図17Cに示す任意形状の殻26を用い、その内部空間43に粒子状応力発光部材30の替わりに、少なくとも一つの図15に示すカプセル状応力発光素子15を内蔵して二重カプセル型応力発光素子としても良い。
【０２２９】
例えば図18、図19に示す任意形状の第2の殻27、28の内部空間44に、図16A、図16B、図16C、図17A、図17B、図17Cなどの各種形状の少なくとも一つの応力発光素子15A、15B、15C、15D、15E、15Fを内蔵しても良い。
【０２３０】
(第14実施形態)
【０２３１】
第14実施形態は、図15を参照して記述した第9実施の形態であるカプセル化応力発光素子15の一変形である。
【０２３２】
図20は本発明の第14実施形態の応力発光素子の一部を断面として示す概略部分断面図である。
【０２３３】
図20に示すように、第14実施形態のカプセル型応力発光素子18は、球状などの任意の形状の壁からなる金属、樹脂などからなる遮光性の殻 (シェル) 29と、少なくとも内面に形成した光反射膜29aと、殻29を所定直径のほぼ円形に部分的に切欠き、その切欠部にはめ込んでその周辺を接着剤61aなどにより固定した少なくとも一つの集光レンズ部材60と、殻29の内部空間、空洞43に移動可能、可動自在に内蔵して配置され、機械エネルギーの印加により発光する応力発光材料を含有する粒子状発光部材からなる一つ又は複数の応力発光芯 (コア) 30とからなる。
【０２３４】
光反射膜29aはアルミニューム、ニッケル、金、銀などの光反射性金属材料の蒸着膜であるのが望ましい。 
【０２３５】
殻29をアルミニュームなどの光反射性金属材料で構成してもよく、光反射膜29aを省略できる。この光反射性金属の殻29の内面を鏡面処理するのが望ましい。更に鏡面処理後に光透過性ハードコート樹脂膜 (図示せず) 又は光透過性シリコーンゴムなどの光透過性弾性ゴム膜 (図示せず) を設けるのが望ましい。
【０２３６】
光透過性ハードコート樹脂膜又は光透過性シリコーンゴムなどの光透過性弾性ゴム膜の内部に応力発光材料を含有させても良い。
【０２３７】
更に、前記殻29の内部に1個あたりの重量が応力発光芯 (コア) 30より重い金属、樹脂などからなる球形などの粒子状部材からなる一つ又は複数の攪拌部材27を内蔵しても良い。
【０２３８】
集光レンズ部材60の内面に光透過性ハードコート樹脂膜 (図示せず) 又は光透過性シリコーンゴムなどの光透過性弾性ゴム膜 (図示せず) を設けるのが望ましい。
【０２３９】
その替わりに集光レンズ部材60を光透過性シリコーンゴムなどの光透過性ゴム弾性体で構成しても良い。
【０２４０】
レンズ内蔵、カプセル型応力発光素子18は、外力を印加したときにその前記機械エネルギーによって、前記殻29と前記応力発光芯 (コア) 30との間、及び、又は前記応力発光芯 (コア) 30同士の衝突、接触及び、又は摩擦を生じ、少なくとも前記応力発光芯 (コア) 30が発光し、この発光はレンズ60で集光して外部へ出射する。
【０２４１】
(第15実施形態)
【０２４２】
第15実施形態は、図15を参照して記述した第9実施の形態であるカプセル化応力発光素子15の他の一変形である。
【０２４３】
図21は本発明の第15実施形態を示す応力発光素子の一部を断面として示す概略部分断面図である。
【０２４４】
図20に示すように、第15実施形態のカプセル型応力発光素子19は、球状などの任意の形状の壁からなるアルミニュームなどからなる光反射性金属、光反射性金属からなる光反射性膜を外面又は内面に形成した樹脂などからなる遮光性の殻 (シェル) 29Aと、殻  29を部分的に切欠き、その切欠部にはめ込み接着剤61aなどにより少なくとも一つの光透過性窓部材61と、殻29の内部空間、空洞43に移動可能、可動自在に内蔵して配置され、機械エネルギーの印加により発光する応力発光材料を含有する粒子状発光部材からなる一つ又は複数の応力発光芯 (コア) 30とからなる。
【０２４５】
殻 (シェル) 29Aの内面に光透過性ハードコート樹脂膜 (図示せず) 又は光透過性シリコーンゴムなどの光透過性弾性ゴム膜 (図示せず) を設けるのが望ましい。
【０２４６】
光透過性ハードコート樹脂膜又は光透過性シリコーンゴムなどの光透過性弾性ゴム膜の内部に応力発光材料を含有させても良い。
【０２４７】
更に、前記殻29Aの内部に1個あたりの重量が応力発光芯 (コア) 30より重い金属、樹脂などからなる球形などの粒子状部材からなる一つ又は複数の攪拌部材27を内蔵しても良い。
【０２４８】
集光レンズ部材61の内面に光透過性ハードコート樹脂膜 (図示せず) 又は光透過性シリコーンゴムなどの光透過性弾性ゴム膜 (図示せず) を設けるのが望ましい。
【０２４９】
その替わりに集光レンズ部材60を光透過性シリコーンゴムなどの光透過性ゴム弾性体で構成しても良い。
【０２５０】
窓付きカプセル型応力発光素子19は、外力を印加したときにその前記機械エネルギーによって、前記殻29Aと前記応力発光芯 (コア) 30との間、及び、又は前記応力発光芯 (コア) 30同士の衝突、接触及び、又は摩擦を生じ、少なくとも前記応力発光芯 (コア) 30が発光し、この発光は光透過性窓部材61から外部へ出射する。
【０２５１】
(第16実施形態)
【０２５２】
第16実施形態は、図20に示した応力発光素子18を振動センサー、加速度センサー、衝撃、衝突センサー、地震センサーなどの機械的エネルギー検知装置に適用した二種類の応用例である。
【０２５３】
図22A、図22Bは本発明の第16実施形態を示す機械的エネルギー検知装置の概略部分断面図である。 
【０２５４】
図22A、図22Bに示すように、機械的エネルギー検知装置160、161は、レンズ部材60を一部に有する遮光性殻29と、殻29の内部空間に移動自在に収容した複数の粒子状応力発光部材30 (及びオプションとして少なくとも一つの粒子状攪拌部材27)とからなる応力発光素子18と、応力発光素子18を支持、固定する支持部材、ブラケット64とからなる。
【０２５５】
更に図22Aに示す機械的エネルギー検知装置160は、フォトトランジスター、フォトダイオード、CCD ( 電荷結合装置、Charge Coupled Device ) などの半導体受光素子62がレンズ部材60の焦点近辺に配置され、又は図22Bに示す機械的エネルギー検知装置161では光ファイバー67がその先端、最も近い端部67aをレンズ部材60の焦点近辺に配置するように設けられている。
【０２５６】
応力発光素子18はブラケット64により、自動車などの移動体、建造物、構造物などの任意の物体66一部にネジ65などの固定手段により取り付けられている。
【０２５７】
図22Aでは、遮光フード63が半導体受光素子62を覆うように設けられ、半導体受光素子62は電線62aにより離れた場所に配置された電気回路 (図示せず) に接続される。
【０２５８】
図22Bでは、遮光フード63が光ファイバー67の先端近辺を覆うように設けられ、光ファイバー67の他端部が離れた場所に配置された光検知電気回路 (図示せず) に接続される。
【０２５９】
例えば、前記機械的エネルギー検知装置160、161を自動車の一部に固定し衝撃、衝突センサーとすることができる。自動車が強い衝撃を受けたときに応力発光素子18が発光し、その発光は半導体受光素子62、光ファイバー67により受光され、制御回路を経由してエアバックを膨張させるように、シートベルトの緩みをしっかり固定するように動作させることができる。
【０２６０】
(第17実施形態)
【０２６１】
第17実施形態は、図21に示した応力発光素子19を振動センサー、加速度センサー、衝撃、衝突センサー、地震センサーなどの機械的エネルギー検知装置に適用した二種類の応用例である。
図23A、図23Bは本発明の第17実施形態を示す機械的エネルギー検知装置の概略部分断面図である。
【０２６２】
図23A、図23Bに示すように、機械的エネルギー検知装置162、163は、光透過性部61を一部に有する遮光性殻29と、殻29の内部空間に移動自在に収容した複数の粒子状応力発光部材30とからなる応力発光素子19と、応力発光素子19を支持、固定する支持部材、ブラケット64とからなる。更に殻29の内部空間に少なくとも一つの粒子状攪拌部材27を収容しても良い。
【０２６３】
更に図23Aに示す機械的エネルギー検知装置162ではフォトトランジスター、フォトダイオード、CCDなどの半導体受光素子62が光透過性部61と対応して配置され、図23Bに示す機械的エネルギー検知装置163では最も近い端部67aにほぼ球状のレンズ部68を形成又は配置した光ファイバー67が設けられている。
【０２６４】
応力発光素子19はブラケット64により、自動車などの移動体、建造物、構造物などの任意の物体66一部にネジ65などの固定手段により取り付けられている。
【０２６５】
図23Aでは、遮光フード63が半導体受光素子62を覆うように設けられ、半導体受光素子62は電線62aにより離れた場所に配置された電気回路 (図示せず) に接続される。
【０２６６】
図23Bでは、遮光フード63が光ファイバー67の先端近辺を覆うように設けられ、光ファイバー67の他端部が離れた場所に配置された光検知電気回路 (図示せず) に接続される。
【０２６７】
例えば、前記機械的エネルギー検知装置162、163を自動車の一部に固定し衝撃、衝突センサーとすることができる。自動車が強い衝撃を受けたときに応力発光素子19が発光し、その発光は半導体受光素子62、光ファイバー67により受光され、制御回路を経由してエアバックを膨張させるように、及び、又はシートベルトの緩みをしっかり固定するように動作させることができる。
【０２６８】
(第18実施形態)
【０２６９】
第18実施形態は、応力発光素子19Aを振動センサー、加速度センサー、衝撃、衝突センサー、地震センサーなどの機械的エネルギー検知装置に適用した二種類の応用例である。
【０２７０】
図24A、図24Bは本発明の第18実施形態を示す機械的エネルギー検知装置の概略部分断面図である。
【０２７１】
図24A、図24Bに示すように、機械的エネルギー検知装置164、165は、全面的に遮光性の殻29Aと、殻29Aの内部空間に移動自在に収容した複数の粒子状応力発光部材30とからなる応力発光素子19Aと、応力発光素子19Aを支持、固定する支持部材、ブラケット64とからなる。
【０２７２】
更に殻29Aの内部空間に少なくとも一つの粒子状攪拌部材27を収容しても良い。
【０２７３】
更に図24Aに示す機械的エネルギー検知装置164ではフォトトランジスター、フォトダイオード、CCDなどのベアチップなどの小型の半導体受光素子62Bがシリコーン樹脂、エポキシ樹脂などの光透過性接着剤などの光透過性部材69に埋設され、かつ遮光性殻29Aの内面の一部に固定して配置されている。
【０２７４】
小型の半導体受光素子62Bは電線62aにより離れた場所に配置された電気回路 (図示せず) に接続される。
【０２７５】
図23Bに示す機械的エネルギー検知装置165では最も近い端部67aにほぼ球状のレンズ部68を形成又は配置した光ファイバー67が全面的に遮光性の殻29を貫通し、球状のレンズ部68がシリコーン樹脂、エポキシ樹脂などの光透過性接着剤などの光透過性部材69に埋設され、かつ遮光性殻29の内面の一部に固定して配置されている。
【０２７６】
光ファイバー67の他端部は離れた場所に配置された光検知電気回路 (図示せず) に接続される。
【０２７７】
応力発光素子19Aはブラケット64により、自動車などの移動体、建造物、構造物などの任意の物体66一部にネジ65などの固定手段により取り付けられている。
【０２７８】
例えば、前記機械的エネルギー検知装置164、165を自動車の一部に固定し衝撃、衝突センサーとすることができる。自動車が強い衝撃を受けたときに応力発光素子19Aが発光し、その発光は半導体受光素子62B、光ファイバー67により受光され、制御回路を経由してエアバックを膨張させるように、及び、又はシートベルトの緩みをしっかり固定するように動作させることができる。
【０２７９】
(第19実施形態)
【０２８０】
第19実施形態は、上述の各種の応力発光素子を人形、動物玩具、人間、動物に模したロボットなどの眼球を発光可能にし、これらに新しい魅力、可愛らしさを与えることができる一応用例である。
【０２８１】
図25Aは第19実施形態の人形170などの眼の説明図、図25Bは第19実施形態の人形などの概略部分断面図である。
【０２８２】
第19実施形態を、図20に示した応力発光素子18とほぼ同様又は類似の応力発光素子18Aを人形などの眼球に適用した例につき記載するが、これに限定されず上述の各種の応力発光素子を用いても良い。
【０２８３】
図25Aに示すように、人形170の眼球18Aは、白目部分29Bと、瞳部分60Aとからなる。
【０２８４】
図25Bに示すように、人形170の顔70にある眼球に該当する応力発光素子18Aは、少なくとも内面が光反射性、遮光性のほぼ球状の殻壁29と、殻壁29の一部にはめ込まれ瞳部分に該当する透明又は有色透明の凸レンズ部材60Aと、殻壁29の内部空間に可動自在に配置された複数の粒子状応力発光部材30と少なくとも一つの粒子状攪拌部材70と、白目部分に該当する白色塗料を塗布した殻壁29の露出部分29Bとからなる。
【０２８５】
人形70の眼球に該当する応力発光素子18Aは、手動を含む圧電振動子、振動モーターなどの任意の振動付与手段 "VB" と振動結合 "VBa" している。
【０２８６】
人形70を手動により揺らすか、圧電振動子、振動モーターなどの振動付与手段 "VB" を動作させることにより、応力発光素子18Aに振動などの機械的エネルギーを付与するときに、粒子状応力発光部材30は発光し、その発光は瞳部分に該当する凸レンズ部材60Aから外部に出射し、人形の眼が発光することになる。
【０２８７】
(第20実施形態)
【０２８８】
第20実施形態は、上述の各種の応力発光素子をイヤリング、ネックレスなどの吊り下げ型、ペンダント型の装身具 (パーソナル  オーナメント) などに適用して例示するものである。図26Aは球状の応力発光素子を用いた装身具を示す概略立面図、図26Bはハート状の応力発光素子を用いた装身具を示す概略立面図である。
【０２８９】
図26Aに示す装身具180は、図15、図18を参照して既に説明した光透過性の球状殻の内部空間に複数の粒子状発光部材30を内蔵した応力発光素子15、16と、応力発光素子15、18を吊り下げるためのチェーン (鎖)、ひも、帯、ゴム、スプリング (ばね) などからなる吊り下げ具56とからなり、吊り下げ具56の一端56aを応力発光素子15、16の一部に固定し、他端56bを人体又は衣服に直接的又は間接的に固定して、イヤリング、ネックレスなどの装身具にしたものである。
【０２９０】
図26Bに示す装身具181は、図17Aを参照して既に説明した光透過性のハート状殻の内部空間に複数の粒子状発光部材30を内蔵した応力発光素子15Dと、応力発光素子15Dを吊り下げるためのチェーン状、ひも状などの吊り下げ具56とからなり、吊り下げ具56の一端56aを応力発光素子15Dの一部に固定し、他端56bを人体又は衣服に直接的又は間接的に固定したものである。
【０２９１】
図26A、図26Bに示す装身具180、181を身に着けて人間が移動するときに、又は装身具が風により揺れるときに、応力発光素子15、16、15Dは吊り下げ具56の他端56bを支点として揺れて、複数の粒子状発光部材30同志又は粒子状発光部材30と殻の内壁とが摩擦をし、応力発光素子15、18、15Dを発光させることができる。
【０２９２】
図26A、図26Bに示す吊り下げ型応力発光素子15、16、15Dは装身具用に限定されず、手動で揺らすことにより発光する玩具として用いることができる。
【０２９３】
図26A、図26Bに示す吊り下げ型応力発光素子15、16、15Dは、自然又は扇風機の風によって発光する玩具、装飾物品として用いることができる。吊り下げ型応力発光素子15、16、15Dは、揺れるときに発光すると共に鈴、風鈴などと同様な音を発することができる。
【０２９４】
吊り下げ型装身具、玩具、装飾物品に用いる応力発光素子15、16、15Dは、これらの球状のものに限定されず、例えば他の応力発光素子15A (図16A参照)、15B (図16B参照)、15C (図 16C参照)、15E (図 17B参照)、15F (図17C参照) などに示すように任意な形状とすることができる。
【０２９５】
前述のように応力発光素子15、16、15A、15B、15C、15D、15E、15Fは、吊り下げ用ひも部材56を用いた吊り下げ型装身具180、181に用いる替わりに、これらの応力発光素子を吊り下げ用ひも部材56を用いないで取り付けて、ブローチ、ブレスレット、指輪などの他のタイプの装身具としても良く、人体の移動、運動に伴ってこれらの装身具を点滅発光させることができる。
【０２９６】
(第21実施形態)  第21実施形態は、上述の各種の応力発光素子を浮上可能な風船に適用して例示するものである。
【０２９７】
図27Aは球状の応力発光素子を用いた風船、気球などのバルーン190を示す概略立面図、図27Bはハート状の応力発光素子を用いたバルーン191を示す概略立面図である。
【０２９８】
図27Aに示すバルーン190の応力発光バルーン15'、16' は、図15、図18を参照して既に説明した応力発光素子15、16と類似の構成を有しており、膨張後に球状となる光透過性のゴム風船膜15'a、16'aからなる殻の内部空間に前記ゴム風船膜15'a、16'aの出入口より複数の粒子状応力発光部材30を入れると共に前記出入口からヘリュームなどの空気よりも比重の小さな軽い気体を圧入して、前記出入口を閉じて構成する。
【０２９９】
応力発光バルーン15'、16' はバルーン全体の比重を空気の比重より小さくして空気中に浮上、浮遊可能とすることができる。
【０３００】
応力発光バルーン15'、16 ' は、ひも状部材57の一端57aに固定され、ひも状部材57の他端57bは人の手又は任意の物体により固定され空気中に浮上、浮遊する。
【０３０１】
図27Bに示すバルーン191の応力発光バルーン50D' は、図17Aを参照して既に説明した応力発光素子50Dと類似の構成を有しており、膨張後にハート状となる光透過性のゴム風船膜50D'aからなる殻の内部空間に前記ゴム風船膜50D'aの出入口より複数の粒子状応力発光部材30を入れると共に前記出入口からヘリュームなどの空気よりも比重の小さな軽い気体を圧入して、前記出入口を閉じて構成する。
【０３０２】
応力発光バルーン50D' はバルーン全体の比重を空気の比重より小さくして空気中に浮上、浮遊可能とすることができる。
【０３０３】
応力発光バルーン 50D'は、ひも状部材57の一端57aに固定され、ひも状部材57の他端57bは人の手又は任意の物体により固定され空気中に浮上、浮遊する。
【０３０４】
図27A、図27Bに示すバルーン190、191は、ひも状部材57を揺らすか、振動を与えるか、風によって揺れるときにひも状部材57の他端57bを支点として応力発光バルーン15'、16 '、50D'が揺れて、複数の粒子状発光部材30同志又は粒子状発光部材30と殻の内壁とが摩擦をし、応力発光素子15'、16' を発光させることができる。
【０３０５】
応力発光バルーン15'、16 '、50D'の形状は、例えば図16A、16B、16C、17A、17B、17Cに示すように任意な形状とすることができる。
【０３０６】
(第22実施形態)
【０３０７】
第22実施形態は、上述の各種:形状の応力発光素子を適当に組み合わせて手動などによって揺らすことにより浮遊し発光する人口植物の造花装置に適用した一例である。
【０３０８】
図28は第22実施形態の造花装置を示す概略立面図である。
【０３０９】
図28に示すように、本実施形態の造花装置200は、図15、図18に示した球状の応力発光素子15、16と図17Aに示したハート状の応力発光素子15Dとを組み合わせた少なくとも一つの造花“AF"と、それぞれの造花“AF"をその一端58aで固定する弾力性金属線などの柔軟性、弾性を有する少なくとも一つの幹に該当する支持線58と、支持線58の他端58bを束ねて固定するグリップ部材59とからなる。
【０３１０】
造花“AF"を構成する応力発光素子15、16、15Dの殻内には複数の粒子状応力発光部材30が可動自在に内蔵それている。
【０３１１】
グリップ部材59の内部に支持線58の他端58bに振動を伝達する圧電振動子、振動モーターなどの振動付与装置 "VB" を内蔵しても良い。
【０３１２】
グリップ部材59を手で握り手動により支持線58を左右に揺らすか回転させると、支持線58の他端68b、グリップ部材59を支点として造花“AF"に振動が拡大して伝達される。
【０３１３】
振動付与装置 "VB" を動作させて支持線58を経由して造花“AF"を振動させても良い。
【０３１４】
この振動により、複数の粒子状発光部材30同志又は粒子状発光部材30と殻の内壁とが摩擦をし、造花“AF"、即ち応力発光素子15、18、15Dを発光させることができる。
【０３１５】
造花“AF"は、揺れるときに発光すると共に鈴、風鈴などと同様な音を発することができる。
【０３１６】
造花“AF"の形状は、例えば図16A、16B、16C、17A、17B、17Cに示すように任意な形状の応力発光素子の任意な組み合わせとすることができる。
【０３１７】
(第23実施形態)
【０３１８】
第23実施形態は、上述の吊り下げ型応力発光素子を動的展示装置 (カイネティック  ディスプレー) に適用した一例である。
【０３１９】
図29は第22実施形態の動的展示装置を示す概略立面図である。
【０３２０】
図29に示すように、本実施形態の動的展示装置210は、図15、図18に示した少なくとも二つの球状の応力発光素子15、16 と同様な構成の応力発光ボールB1、B2 と、水平棒70aを二本の柱によって支持したブリッジ型支柱70と、一端56aを応力発光ボールB1、B2に固定し、他端56bを水平棒70aに固定した応力発光ボールB1、B2を水平棒70aに吊り下げる少なくとも二つのひも状部材56とからなる。
【０３２１】
応力発光ボールB1、B2は、光透過性殻B1a、B2aの内部空間に複数の粒子状、カプセル状の応力発光部材30を可動自在に内蔵している。
【０３２２】
二つのひも状部材56は長さがほぼ等しく、二つの応力発光ボールB1、B2は近接して対向している。
【０３２３】
例えば、一方の応力発光ボールB1を手でひも部材56の他端56bを支点として仮想の応力発光ボールB1'の位置まで持ち上げその手を離すと、応力発光ボールB1は他端56bを支点として重力により下降し、元の位置を越して他方の応力発光ボールB2に衝突する。
【０３２４】
他方の応力発光ボールB2は、一方の応力発光ボールB1の衝突により仮想の応力発光ボールB2'の位置まで上昇した後に、降下し元の位置を越えて一方の応力発光ボールB1に衝突する。
【０３２５】
一方の応力発光ボールB1は、他方の応力発光ボールB2の衝突により仮想の応力発光ボール B1'の位置より近い位置まで上昇した後に、下降する。二つの応力発光ボールB1、B2は、複数回この動的運動を繰り返えし、所定時間後に静止して元の位置に留まる。
【０３２６】
以上の操作の替わりに、一対の応力発光ボールB1、 B2を手で一対のひも部材56の他端56bを支点として仮想の一対の応力発光ボールB1' 、B2'の位置まで持ち上げその手をほぼ同時に離しても良い。この場合、一対の応力発光ボールB1、 B2は一対のひも部材56の他端56bを支点として重力により下降して衝突し、かつ反発して上昇し、再び下降して衝突し複数回この動的運動を繰り返えし、所定時間後に静止して元の位置に留まる。 
【０３２７】
図29に示すように、二つの応力発光ボールB1、B2が静止状態のときは、粒子状発光部材30は殻B1a、B2a内の底近くに配置されているが、二つの応力発光ボールB1、B2の衝突により上昇した状態を示す仮想の応力発光ボールB1'、 B2'における粒子状発光部材30'はランダムに飛散している。
【０３２８】
このように動的展示装置210は、二つの応力発光ボールB1、B2の衝突により、複数の粒子状発光部材30同志又は粒子状発光部材30と殻B1a、B2aの内面とが衝突、摩擦をし、応力発光ボールB1、B2は所定の時間、発光し、ユーザーはこの発光、衝突時の音を観賞することができる。
【０３２９】
(第24実施形態)  第24実施形態は、応力発光素子を噴水装置に適用した一応用例である。
【０３３０】
図30は第24実施形態の噴水装置を示す概略立面図である。
【０３３１】
第24実施形態の噴水装置220は、循環ポンプ73と、循環ポンプ73の水送出孔73aと、水送出孔73aに接続された水送出用パイプ71aと水送出用パイプ71aの先端に配置した噴水ノズル72と循環ポンプ73に使用した水74を戻す水回収用パイプ71bと循環ポンプ73の水回収孔73bとからなる。循環ポンプ73により循環する水の中には、パイプ71a、71bの内径より直径などの寸法が小さな前述の粒子状又はカプセル状の応力発光素子15 (図15参照)、16 (図18参照) を多数混入させてある。
【０３３２】
粒子状又はカプセル状の応力発光素子15、16の大きさ、重量は例えばスポーツのピンポン、軟式野球のボール程度で良いが、大型の屋外用噴水、中型の屋内装飾展示用噴水、小型の卓上装飾展示、玩具用噴水など噴水のスケールに応じて任意の大きさ、重量の応力発光素子15、16を選択して用いることができる。
【０３３３】
応力発光素子15、16 の替わりに15A (図16A参照)、 15B (図16B参照) 、15C (図16C参照)、15D (図17A参照)、15E (図17B参照)、15F (図17C参照) を用いても良い。
【０３３４】
噴水を覆うドーム状、半円球状の光透過性カバー75を設けても良く、それにより水74と応力発光素子15、16とを無駄なく回収して循環させることができる。
【０３３５】
循環ポンプ73から送出され、噴水ノズル72から噴出した水74と応力発光素子15、16は、放射状に上昇し、その後に放射状に自然落下する。
【０３３６】
自然落下した水74と応力発光素子15、16は、傾斜面76を経由して水回収用パイプ71bに入り、循環ポンプ73の水回収孔73bに戻る。
【０３３７】
水74と応力発光素子15、16は、図中、矢印付鎖線 "F" で示す方向に従って流れ、かつ循環する。
【０３３８】
ノズル72から水74と共に放出した多数の応力発光素子15、16は、水74と共に、又は水74から離れて飛散時に、上昇、落下時に、応力発光素子15、16同志が衝突したり、応力発光素子15、16の殻内に可動自在に内蔵された複数の粒子状応力発光部材が殻内でランダムに飛散し、粒子状応力発光部材同士の衝突、摩擦、又は粒子状応力発光部材と殻内面との衝突、摩擦を何回も繰り返し、応力発光素子15、16は比較的強い輝度で発光する。
【０３３９】
ドーム状、半円球状の光透過性カバー75を設ける場合には、更に応力発光素子15、16と光透過性カバー75との衝突により、応力発光素子15、16が発光する確率が向上する。
【０３４０】
特に噴水装置220を夜間、暗所でこの噴水を観賞するときには、多数の蛍又は花火の点滅発光に似た人工的ではない自然に近いランダムな点滅発光の魅力を鑑賞者に与えることができる。
【０３４１】
噴水装置220は水を用いずに、加圧空気により複数の応力発光素子15、16を加圧ノズルから噴射、放出し、これを回収して応力発光素子15、16を繰り返して噴射、放出させるように循環させて応力発光素子の噴射装置としても良い。
【０３４２】
(第25実施形態)
【０３４３】
第25実施形態は、応力発光素子を動的発光装飾装置に適用した一応用例である。
【０３４４】
図31は第25実施形態の動的発光装飾装置であり、部分的に断面として示す概略立面図である。
【０３４５】
図31に示すように、第25実施形態の動的発光装飾装置230は、ほぼ球状の光透過性殻壁77aとその内部に空間を有する球状カプセルからなる容器部材77と、殻壁77aの内部空間に充填した水、シリコーンオイルなどの光透過性液体78と、光透過性液体78内に混入した多数の前述の粒子状又はカプセル状の応力発光素子15、16と、少なくとも一つの超音波圧電振動子など振動発生手段79とからなる。
【０３４６】
球状カプセル型容器部材77は、台81により支持されている。
【０３４７】
振動発生手段79は、そこから発生した振動圧力により殻壁77a内に充填された光透過性液体78を循環して一定方向に回転運動80させるような指向角度で殻壁77a内の所定位置に配置されている。
【０３４８】
応力発光素子15、16については、それぞれ図15 、図18を参照して既に詳細に記述したのでここではその説明は省略する。
【０３４９】
応力発光素子15、16 の替わりに15A (図16A参照)、 15B (図16B参照) 、15C (図16C参照)、15D (図17A参照)、15E (図17B参照)、15F (図17C参照) を用いても良い。
【０３５０】
振動発生手段79を駆動すると、光透過性液体78は殻壁77a内で一定方向に回転運動80を循環して行い、光透過性液体78aの回転運動80に従って光透過性液体78a中の応力発光素子15、16は循環して一定方向に回転、旋回する。
【０３５１】
振動発生手段79として圧電振動子を用いると超音波が発生し、この超音波が光透過性液体78中に伝播する。この超音波によるキャビティーテーション (空洞現象) により、光透過性液体78中に複数の空気バブル (気泡) の発生とその消滅、破壊を生じ、衝撃圧を発生する。これにより光透過性液体78、応力発光素子15、16はより激しいランダム運動を行う。気泡は光透過性液体78より屈性率が小さいので気泡と光透過性液体78との屈折率の相違により気泡が散乱体として機能する。
【０３５２】
前記回転運動80、前記ランダム運動によって、応力発光素子15、16同志が激しく衝突し、応力発光素子15、16の殻内に可動自在に内蔵された複数の粒子状応力発光部材が殻内でランダムに飛散し、粒子状応力発光部材同士の衝突、摩擦、又は粒子状応力発光部材と殻内面との衝突、摩擦を何回も繰り返し行う。従って。応力発光素子15、16はより強い輝度で点滅発光し、散乱体となる気泡の発生によりこの発光を散乱し、広角度で拡散する。
【０３５３】
特に動的発光装飾装置230を夜間、暗所でこの噴水を観賞するときには、多数の蛍又は花火の点滅発光に似た人工的ではない自然に近いランダムな点滅発光の魅力を鑑賞者に与えることができる。
【０３５４】
(第26実施形態)
【０３５５】
第26実施形態は、応力発光素子を動的発光装飾装置に適用した一応用例である。
【０３５６】
図32は第26実施形態の動的発光装飾装置であり、部分的に断面として示す概略立面図である。
【０３５７】
図32に示すように、第26実施形態の動的発光装飾装置230は、ほぼ球状の光透過性殻壁77Aaとその内部に空間78Aを有する球状カプセルからなる容器部材77Aと、殻壁77Aaの内部空間78に可動自在に配置した多数の前述の粒子状又はカプセル状の応力発光素子15、16と、少なくとも一つのブローワーなど送風手段82とからなる。
【０３５８】
球状カプセル型容器部材77Aは、台81Aにより支持され、送風手段82は台81Aの内部に配置されている。
【０３５９】
送風手段82は、一端が送風手段82の送風孔に接続され他端が殻壁77Aaの内部に延長したパイプ83を経由して内部空間78に空気を一定方向に回転運動80Aさせるような指向角度で殻壁77a内の所定位置に配置されている。
【０３６０】
球状カプセル型容器部材77には、殻壁77Aaを貫通する所定の大きさの排気孔 (図示せず) が設けられている。
【０３６１】
応力発光素子15、16については、それぞれ図15 、図18を参照して既に詳細に記述したのでここではその説明は省略する。
【０３６２】
応力発光素子15、16 の替わりに15A (図16A参照)、 15B (図16B参照) 、15C (図16C参照)、15D (図17A参照)、15E (図17B参照)、15F (図17C参照) を用いても良い。
【０３６３】
送風手段82から空気を殻壁77aに沿って一定方向に指向して送ると、殻壁77a内の空気78Aは一定方向に回転運動80を循環して行い、空気78Aの回転運動80に従って空気78A中の応力発光素子15、16は循環して一定方向に回転、旋回する。
【０３６４】
前記回転運動80によって、応力発光素子15、16同志が激しく衝突したり、応力発光素子15、16の殻内に可動自在に内蔵された複数の粒子状応力発光部材が殻内でランダムに飛散し、粒子状応力発光部材同士の衝突、摩擦、又は粒子状応力発光部材と殻内面との衝突、摩擦を何回も繰り返し、応力発光素子15、16は比較的強い輝度で発光する。
【０３６５】
特に動的発光装飾装置240を夜間、暗所でこの噴水を観賞するときには、多数の蛍又は花火の点滅発光に似た人工的ではない自然に近いランダムな点滅発光の魅力を鑑賞者に与えることができる。
【０３６６】
(第27実施形態)
【０３６７】
第27実施形態は、応力発光素子を動的発光装飾装置に適用した一応用例である。
【０３６８】
図33は、図31を参照して記述した第25実施形態の動的発光装飾装置の一変形であり、部分的に断面として示す概略斜視図である。
【０３６９】
図33に示すように、第27実施形態の動的発光装飾装置250は、ほぼ円筒状の光透過性殻壁77Baとその内部に空間を有するほぼ円筒状の容器部材77と、殻壁77aの内部空間に充填した水、シリコーンオイルなどの光透過性液体78と、光透過性液体78内に混入した多数の前述の粒子状又はカプセル状の応力発光素子15、16と、少なくとも一つの超音波圧電振動子など振動発生手段79とからなる。
【０３７０】
容器部材77Bは、ほぼ円筒状の台81Bにより支持されている。
【０３７１】
振動発生手段79Aは、そこから発生した振動圧力により殻壁77Ba内に充填された光透過性液体78と応力発光素子15、16とを激しく攪拌するように台81B上に露出して配置されている。
【０３７２】
応力発光素子15、16はそれぞれの比重を光透過性液体78の比重と近似させ、振動発生手段79Aが動作していないときに光透過性液体78中に所定深度で浮いているのが望ましい。それ以外は
それぞれ図15 、図18に示した応力発光素子15、16と同様であるので、ここではその説明は省略する。
【０３７３】
応力発光素子15、16 の替わりに15A (図16A参照)、 15B (図16B参照) 、15C (図16C参照)、15D (図17A参照)、15E (図17B参照)、15F (図17C参照) を用いても良い。
【０３７４】
振動発生手段79Aを駆動すると、その振動により光透過性液体78、応力発光素子15、16は殻壁77a内で攪拌され応力発光素子15、16は上昇、降下運動を繰り返す。
【０３７５】
振動発生手段79Aとして超音波圧電振動子を用いると、更に光透過性液体78に超音波圧力によりキャビティー (空洞)、空気バブル (気泡) の発生とその消滅を生じ、光透過性液体78、応力発光素子15、16はより激しいランダム運動を行う。
【０３７６】
前記上昇、降下運動、前記ランダム運動によって、応力発光素子15、16同志が激しく衝突したり、応力発光素子15、16の殻内に可動自在に内蔵された複数の粒子状応力発光部材が殻内でランダムに飛散し、粒子状応力発光部材同士の衝突、摩擦、又は粒子状応力発光部材と殻内面との衝突、摩擦を何回も繰り返し、応力発光素子15、16は比較的強い輝度で発光する。
【０３７７】
振動発生手段79Aの替わりに、金魚鑑賞装置に用いられている気泡発生手段を用いても良い。
【０３７８】
特に動的発光装飾装置250を夜間、暗所で観賞するときには、多数の蛍又は花火の点滅発光に似た人工的ではない自然に近いランダムな点滅発光の魅力を鑑賞者に与えることができる。
【０３７９】
(第28実施形態)
【０３８０】
第28実施形態は、応力発光素子を広告宣伝用、パブリック・アドレス (公共用表示、サイン) 用などの表示、標示、展示装置に適用した一応用例である。
【０３８１】
図34は第28実施形態の表示、標示、展示装置を示す概略システム図である。
【０３８２】
第28実施形態の表示、標示、展示装置260は、文字、図形などの任意のパターン形状に構成された少なくとも一つのパターン型光透過性パイプ85と、循環ポンプ73と、循環ポンプ73の流体送出孔73aに接続された水などの液体又は空気などの透明流体78を送出する流体送出用パイプ84aと、循環ポンプ73に透明流体78を戻す流体回収用パイプ84bと循環ポンプ73の流体回収孔73bとからなる。
【０３８３】
循環ポンプ73により循環する流体78の中には、パイプ84a、84bの内径より直径などの寸法が小さな前述の粒子状又はカプセル状の応力発光素子15 (図15参照)、16 (図18参照) を多数混入させてある。
【０３８４】
粒子状又はカプセル状の応力発光素子15、16の大きさ、重量はその目的に応じて任意に選択して用いることができる。
【０３８５】
応力発光素子15、16 の替わりに15A (図16A参照)、 15B (図16B参照) 、15C (図16C参照)、15D (図17A参照)、15E (図17B参照)、15F (図17C参照) を用いても良い。
【０３８６】
パターン型光透過性パイプ85は、図34では文字の "NEON" を表示するように、"N" を示す第1のパターン型光透過性パイプ851と、"E"を示す第2パターン型光透過性パイプ852 と、"O" を示す第3パターン型光透過性パイプ853と、"N" を示す第n (nは自然数) パターン型光透過性パイプ85nとからなり、これらの文字は前記順序で横方向に配列されている。
【０３８７】
流体送出用パイプ84aは分岐され、それぞれのパターン型光透過性パイプ851、 852、 853、85nの一部と並列的に接続されている。
【０３８８】
流体回収用パイプ84bはそれぞれのパターン型光透過性パイプ851、 852、 853、85nの他の一部と並列的に接続されている。
【０３８９】
従って応力発光素子15、16を混入した流体78は、図中、矢印付鎖線 "F" で示す方向に従って循環ポンプ73、流体送出用パイプ84a、パターン型光透過性パイプ851、 852、 853、85n、流体回収用パイプ84bをこれらの順序で流れ、循環ポンプ73に戻り、これらの流れを繰り返して循環する。
【０３９０】
パターン型光透過性パイプ851、 852、 853、85n内部を、応力発光素子15、16を混入した流体78が流れるときに、応力発光素子15、16同志が衝突し、応力発光素子15、16の殻内に可動自在に内蔵された複数の粒子状応力発光部材が殻内でランダムに飛散し、粒子状応力発光部材同士の衝突、摩擦、又は粒子状応力発光部材と殻内面との衝突、摩擦を何回も繰り返す。
【０３９１】
パターン型光透過性パイプ851、 852、 853、85n内部の応力発光素子15、16は発光し、パターン型光透過性パイプ851、 852、 853、85nから出射して所定のパターンが発光表示される。
【０３９２】
(第29実施形態)
【０３９３】
第29実施形態は、第28実施形態の一変形であり、第28実施形態と同様に応力発光素子を広告宣伝用、パブリック・アドレス (公共用表示、サイン) 用などの表示、標示、展示装置に適用した他の応用例である。
【０３９４】
図35は第29実施形態の表示、標示、展示装置を示す概略システム図である。
【０３９５】
第28実施形態と同様に、第29実施形態の表示、標示、展示装置270は、文字、図形などの任意のパターン形状に構成された少なくとも一つのパターン型光透過性パイプ85と、循環ポンプ73と、循環ポンプ73の流体送出孔73aに接続された水などの液体又は空気などの透明流体78を送出する流体送出用パイプ84aと、循環ポンプ73に透明流体78を戻す流体回収用パイプ84bと循環ポンプ73の流体回収孔73bとからなる。
【０３９６】
第28実施形態と同様に、循環ポンプ73により循環する流体78の中には、パイプ84a、84bの内径より直径などの寸法が小さな前述の粒子状又はカプセル状の応力発光素子15 (図15参照)、16 (図18参照) を多数混入させてある。
【０３９７】
第28実施形態と同様に、パターン型光透過性パイプ85は、図34では文字の "NEON" を表示するように、"N" を示す第1のパターン型光透過性パイプ851と、"E"を示す第2パターン型光透過性パイプ852 と、"O" を示す第3パターン型光透過性パイプ853と、"N" を示す第n (nは自然数) パターン型光透過性パイプ85nとからなり、これらの文字は前記順序で横方向に配列されている。
【０３９８】
第28実施形態と異なり、流体送出用パイプ84aはパターン型光透過性パイプ851、 852、 853、85nと直列的に接続されている。 
【０３９９】
即ち、流体送出用パイプ84aは先ず第nパターン型光透過性パイプ85nと部分的に接続され、第nパターン型光透過性パイプ85nの他の部分は流体送出用パイプ84aを経由して第3パターン型光透過性パイプ853と部分的に接続され、第3パターン型光透過性パイプ853の他の部分は流体送出用パイプ84aを経由して第2パターン型光透過性パイプ852と部分的に接続され、第2パターン型光透過性パイプ852の他の部分は流体送出用パイプ84aを経由して第1のパターン型光透過性パイプ851と部分的に接続され、第1のパターン型光透過性パイプ851の他の部分は流体回収用パイプ84bの一端 (循環ポンプ73から最も遠い端末部)と接続されている。
【０４００】
従って応力発光素子15、16を混入した流体78は、図中、矢印付鎖線 "F" で示す方向に従って循環ポンプ73、流体送出用パイプ84a、パターン型光透過性パイプ85、流体回収用パイプ84bを流れ、循環ポンプ73に戻り、これらの流れを繰り返して循環する。
【０４０１】
パターン型光透過性パイプ851、 852、 853、85n内部を、応力発光素子15、16を混入した流体78が流れるときに、応力発光素子15、16同志が衝突し、応力発光素子15、16の殻内に可動自在に内蔵された複数の粒子状応力発光部材が殻内でランダムに飛散し、粒子状応力発光部材同士の衝突、摩擦、又は粒子状応力発光部材と殻内面との衝突、摩擦を何回も繰り返す。
【０４０２】
パターン型光透過性パイプ851、 852、 853、85n内部の応力発光素子15、16は発光し、パターン型光透過性パイプ851、 852、 853、85nから出射して所定のパターンが発光表示される。
【０４０３】
(第30実施形態)
【０４０４】
第30実施形態は、前述の応力発光素子を用いて砂時計型発光装置、発光砂時計としたものである。、
【０４０５】
図36は第30実施形態の砂時計型発光装置、発光砂時計を示す概略立面図である。
【０４０６】
砂時計型発光装置、発光砂時計280は、上方にある第1の光透過性容器87と下方にある第2の光透過性容器88と第1、第2の光透過性容器87、88を連通する細い接続部分89と、第1、第2の光透過性容器87、88内の空間78a、78bに可動自在に配置した所定数の応力発光素子15、16と、第1、第2の光透過性容器の頂部、底部にある蓋兼用台 (ベース) 90a、90bとからなる。
【０４０７】
砂時計型発光装置、発光砂時計280の操作法は従来の砂時計と同一である。
【０４０８】
先ず上方にある第1の光透過性容器87の第1の空間78aに全ての応力発光素子15、16を配置し、砂時計型発光装置、発光砂時計280を蓋兼用台 (ベース) 90b側を下にしてデスク上などに静置する。
【０４０９】
応力発光素子15、16は重力により、第1の光透過性容器87の第1の空間78aから接続部分89を経由して下方にある第2の光透過性容器88の第2の空間78bに少しずつ落下して行き、所定時間後に全ての応力発光素子15、16が第2の空間78bに移動する。
【０４１０】
応力発光素子15、16が第1の空間78aを徐々に下降して行く時に、応力発光素子15、16同志が衝突し又は互いに擦れ合って摩擦力を生じる、又は応力発光素子15、16と第1の光透過性容器87の内壁とが衝突し又は互いに擦れ合って摩擦力を生じる。
【０４１１】
これと同時に応力発光素子15、16の殻内に可動自在に内蔵された複数の粒子状応力発光部材が殻内で衝突し又は互いに擦れ合って摩擦力を生じ、又は粒子状応力発光部材同士の衝突、摩擦、又は粒子状応力発光部材と殻内面との衝突、摩擦を何回も繰り返す。
【０４１２】
更に応力発光素子15、16が接続部分89から第2の空間78bを降下するときに、接続部分8と第2の空間78bの底部又は接続部分8と第2の空間78bの底部に蓄積しつつある応力発光素子15、16とに落差があるために応力発光素子15、16に衝撃力を生じる。
【０４１３】
この衝撃力により、応力発光素子15、16の殻内に可動自在に内蔵された複数の粒子状応力発光部材が殻内で衝突し又は互いに擦れ合って摩擦力を生じ、又は粒子状応力発光部材同士の衝突、摩擦、又は粒子状応力発光部材と殻内面との衝突、摩擦を何回も繰り返す。
【０４１４】
以上の理由により、第1の光透過性容器87、第2の光透過性容器88に存在する応力発光素子15、16は共に、第1の光透過性容器87から第2の光透過性容器88に移動しているときに発光する。
【０４１５】
従って砂時計型発光装置、発光砂時計280は、単なるタイマーとしての機能の外に点滅発光し、装飾的効果が得られる。
【０４１６】
(第31実施形態)
第31実施形態は、前述の図9、図10を参照して記述した本発明の第4実施の形態の一変形である。
【０４１７】
本発明の第31実施形態を概略斜視図である図37を参照して説明する。
【０４１８】
図37に示すように、応力発光装置290は、応力発光素子12' とその一端に固定された取手、グリップ、ハンドルなどの比較的に長い長尺部材50とからなる。
【０４１９】
応力発光素子12' は、光透過性を有する金属線などを編んで構成した網目 (メッシュ) 状の円筒状部材 (中空容器) 22' と、その網目状の壁、網23' によって囲まれた空間、空洞からなる収容室41と、収容室41に可動自在に収容された応力発光材料を含有した複数の粒子状応力発光部材30とからなる。
【０４２０】
粒子状応力発光部材30が円筒状部材 (中空容器) 22' の外部に出ることが無いように、網目状の壁、網23' の開口のサイズは粒子状応力発光部材30のサイズより小さくしてある。
【０４２１】
網目状の壁、網23' の開口から光線を透過するので、円筒状部材 (中空容器) 22' は光透過性を有する。
【０４２２】
粒子状応力発光部材30を用いると共に、網目状の壁、網23' に応力発光材料を含有させても良い。
【０４２３】
図6A、図6B、図7A、図7Bに示すように壁21に応力発光材料を含有させても良い。
【０４２４】
網目状の壁、網23' の替わりに、粒子状応力発光部材30のサイズより小さな多数の貫通孔を有する円筒状部材 (中空容器) を用いて光透過性を有するようにしても良い。
【０４２５】
円筒状部材 (中空容器) 22' の低部は、接着剤又はネジなどにより長尺部材50の頂面に強固に固定されている。
【０４２６】
粒子状応力発光部材30については、図4A、図4B、図5A、図5Bを参照して既に詳記したのでここではその説明は省略する。
【０４２７】
応力発光装置290について、図9、図10に示した応力発光装置120と同様な部分の説明はここでは出来るだけ省略した。
【０４２８】
(第32実施形態)
【０４２９】
第32実施形態は、前述の図15を参照して記述した本発明の第4実施の形態の応力発光素子15の一変形である。
【０４３０】
本発明の第31実施形態を概略斜視図である図38を参照して説明する。
【０４３１】
図38に示すように、第31実施形態のカプセル型応力発光素子15' は、球状などの任意の形状の金属線などを編んで構成した網目 (メッシュ) 状の壁、網目からなる殻 (シェル) 26' と、前記網目状殻２６' の内部空間、空洞43に移動可能、可動自在に内蔵して配置され、機械エネルギーの印加により発光する応力発光材料を含有する粒子状発光部材からなる一つ又は複数の応力発光芯 (コア) 30とからなる。
【０４３２】
殻 (シェル) 26' は網目の多数の貫通孔があるので光線を透過する光透過性を有する。
【０４３３】
応力発光芯 (コア) 30が殻 (シェル) 26' の外部に出て行かないように、応力発光芯 (コア) 30のサイズは網目の多数の貫通孔のサイズよりも大きくする。
【０４３４】
殻 (シェル) 26' を網で構成する替わりに、非光透過性の殻に多数の貫通孔を設けて殻 (シェル) 26' を光透過性としても良い。
【０４３５】
更に、前記殻26' の内部に1個あたりの重量が応力発光芯 (コア) 30より重い球形などの粒子状部材からなる一つ又は複数の攪拌部材27を内蔵しても良い。
【０４３６】
殻 (シェル) 26' に応力発光材料を含有させても良い。
【０４３７】
応力発光芯 (コア) 30の材料、構成は、前述の各種実施の態様の粒子状発光部材30、 30A、 30B、 30C、30Dと同様であるのでその記述はここでは省略する。
【０４３８】
カプセル型応力発光素子15' は、外力を印加したときにその前記機械エネルギーによって、前記殻26' と前記応力発光芯 (コア) 30との間、及び、又は前記応力発光芯 (コア) 30同士の衝突、接触及び、又は摩擦を生じ、前記応力発光芯 (コア) 30が発光する。
【０４３９】
(第33実施形態)
【０４４０】
第33実施形態は、前述の図13を参照して記述した本発明の第7実施の形態の一変形である。
【０４４１】
本発明の第33実施形態につき図39を参照して説明する。図39は一部を断面として示す概略斜視図である
【０４４２】
図39に示すように、本発明の第33実施形態のシート状応力発光装置、発光素子300は、対向する一方又は両方が光透過性の第1のシート24A' と第2のシート24B' と、第1のシート24A' と第2のシート24B' との間に設けられた例えば矩形などの切欠き部、空間などの任意の形状の複数の貫通孔42を有するシート状スペーサー25A' と、複数の貫通孔42' に挿入された複数の粒子状応力発光部材30とからなる。
【０４４３】
図39では、切欠き部、空間などの任意の形状の複数の貫通孔42と貫通孔42のそれぞれに可動自在に配置した複数の粒子状応力発光部材30が、シート状応力発光装置300にX-Yマトリクス状に分布して配置された複数の応力発光部分、応力発光素子となる。
【０４４４】
第1のシート24A'、シート状スペーサー25A'、第2のシート24B' は、貫通孔42に複数の粒子状応力発光部材30を配置した状態で、上記順序でエポキシ系接着剤などの接着剤により接着、又はシート24A'、24B'、シート状スペーサー25A' 同士の加熱溶着などの接合により、一体化して全体として、粒子状応力発光部材30が内部で移動、可動し得る中空積層体 (ラミネート) シートからなるシート状応力発光装置、発光素子300を構成することができる。
【０４４５】
第1のシート24A' 、第2のシート24B' 、シート状スペーサー25A' は、ポリエステル、塩化ビニル、フクリル、ポリカーボネート、ナイロンなどの樹脂シート、紙、合成紙などの任意のシート状部材であり、第1のシート24A'、第2のシート24B' の少なくとも一方は、粒子状応力発光部材30の発光を外部に出射させるために、シート状スペーサー25A' の貫通孔42と対向した領域を透明、半透明などの光透過性にする必要がある。
【０４４６】
シート状スペーサー25A' としてホットメルトシート、スペーサー粒子を均一に混入した両面接着剤、シートの両面に予め接着剤を塗布したものなどを用いても良い。
【０４４７】
図13に示した複数のカード型応力発光素子13を大量に生産するためには、シート状応力発光装置300を製作し、その後にシート状応力発光装置300の切欠き部、空間などの任意の形状の複数の貫通孔42の外側周縁部分に沿って切断すれば良い。
【０４４８】
図39に示すように、複数の応力発光部分、応力発光素子を画素 (ピクチャー  エレメント) "PE" とし、これらの画素 "PE" をX-Yマトリクス状に行列の交差部に平面的に分布して配置することにより、シート状応力発光装置300は応力発光型表示装置として用いることが出来る。
【０４４９】
応力発光型表示装置300は、各画素 "PE" である各応力発光素子と対向して、表示すべき情報を含む電気信号によって変調された圧電フィルム等の圧電振動子からなる複数の電気、機械的エネルギー変換素子 (エレクトロメカニカル  トランスジューサー) を、X-Yマトリクス状に行列の交差部に平面的に分布して配置する。複数の前記圧電振動子により各応力発光素子を選択的に駆動して任意の可変情報を表示することが出来る。
【０４５０】
その替わりに、第1のシート24A' 又は第2のシート24B' の表面を、表示すべき情報を含む電気信号によって変調された圧電振動子からなる複数の電気、機械的エネルギー変換素子 (エレクトロメカニカル  トランスジューサー)を有する走査ヘッドにより行、列方向にシート状応力発光装置300を順次スキャング (走査) することにより走査型の表示装置300とすることが出来る。
【０４５１】
第1のシート24A'、第2のシート24B' を柔軟性シートにしてシート状応力発光装置300を柔軟性にすると、シート状応力発光装置300を曲面状に変形させることが出来る。
【０４５２】
(第34実施形態)
【０４５３】
本発明の第34実施形態につき図40を参照して説明する。
【０４５４】
図40は本発明の第34実施形態を示す概略部分断面図である
【０４５５】
図40に示すように、本発明の第34実施形態のシート状応力発光装置、発光素子310は、光透過性の第1のシート24A' と、第1のシート24A' の一表面にポリマー、エラストマーからなる光透過性バインダー91を用いて接着固定して配置した複数のカプセル型応力発光素子15、16とからなる。
【０４５６】
又は、シート状応力発光装置、発光素子310は、少なくとも一方が光透過性の第1のシート24A' 、第2のシート24B' の間に複数のカプセル型応力発光素子15、16と光透過性バインダー91とを挟んで接着し全体を一体化したものである。
【０４５７】
本実施形態で用いられるカプセル型応力発光素子15、16としては、図15に示すカプセル型応力発光素子15又は図18に示すカプセル型応力発光素子16を用いることが出来る。カプセル型応力発光素子15、16内には、複数の応力発光含有粒子とオプションとして液体が内蔵される。カプセル型応力発光素子15、16として、例えば薬剤のゼラチン硬カプセルの大きさである殻の外径が8mm-2mm程度、応力発光含有粒子の外径が0.8mm-0.2mmのもの、又は薬剤の顆粒の大きさである殻の外径が2mm-0.2mmのものを用いることができ、応力発光含有粒子の外径が殻の外径の1/10-1/100程度のものを用いることができる。カプセル型応力発光素子15、16として、マイクロカプセル程度の大きさでも良く、例えば殻の外径が500 micron -5micron、応力発光含有粒子の外径が殻の外径の1/10-1/100程度のものを用いることができる。
【０４５８】
第1のシート24A' 、第2のシート24B' の素材としてポリマーからなるシート、フィルム、ゴムからなるシート、フィルム、紙、布、ガラス  シート、フィルムなどを用いても良い。第1のシート24A' 、第2のシート24B' の一方の素材としてアルミニューム、銅などの金属シート、フィルムを用い、他方を光透過性のポリマーからなるシート、フィルム、ガラス  シート、フィルムなどを用いても良い。
【０４５９】
シート状応力発光装置310は、X-Yマトリクス状の交差部を画素とし、表示すべき情報を含む電気信号によって変調された機械的エネルギーを付与する複数の電気、機械的エネルギー変換素子を前記画素と対応して配置することにより表示装置とすることができる。その替わりにシート状応力発光装置310は、表示すべき情報を含む電気信号によって変調された機械的エネルギーを付与する電気、機械的エネルギー変換素子を有する走査ヘッドにより走査することにより表示装置とすることができる。
【０４６０】
第1のシート24A' 、第2のシート24B' 、バインダー91として柔軟性の素材を用いることにより、曲面状に変形できる又は折り曲げ可能な柔軟性を有するシート状応力発光装置、発光素子310が得られる。
【０４６１】
(第34実施形態)
【０４６２】
本発明の第34実施形態につき図41を参照して説明する。
【０４６３】
図41は本発明の第34実施形態を示す概略断面図である
【０４６４】
図41に示すように、本発明の第34実施形態のシート状応力発光装置、発光素子320は、光透過性のシート状支持体92と、シート状支持体92内に分散して埋設した複数のカプセル型応力発光素子15、16とからなる。
【０４６５】
本実施形態で用いられるカプセル型応力発光素子15、16としては、図15に示すカプセル型応力発光素子15又は図18に示すカプセル型応力発光素子15、16を用いることが出来る。カプセル型応力発光素子15、16として、例えば薬剤のゼラチン硬カプセルの大きさである殻の外径が8mm-2mm程度、応力発光含有粒子の外径が0.8mm-0.2mmのもの、又は薬剤の顆粒の大きさである殻の外径が2mm-0.2mmのものを用いることができ、応力発光含有粒子の外径が殻の外径の1/10-1/100程度のものを用いることができる。カプセル型応力発光素子15、16として、マイクロカプセル程度の大きさでも良く、例えば殻の外径が500 micron -5micron、応力発光含有粒子の外径が殻の外径の1/10-1/100程度のものを用いることができる。
【０４６６】
光透過性のシート状支持体92の素材としては、硬化性ポリマー、熱可塑性ポリマー、天然ゴム、合成ゴムを含む硬化性エラストマー、熱可塑性エラストマーから選択して使用できる。光透過性のシート状支持体92として柔軟性の素材を用いることにより、曲面状に変形できる又は折り曲げ可能な柔軟性を有するシート状応力発光装置、発光素子320が得られる。
【０４６７】
シート状応力発光装置320は、X-Yマトリクス状の交差部を画素とし、表示すべき情報を含む電気信号によって変調された機械的エネルギーを付与する複数の電気、機械的エネルギー変換素子を前記画素と対応して配置することにより表示装置とすることができる。
【０４６８】
その替わりにシート状応力発光装置320は、表示すべき情報を含む電気信号によって変調された機械的エネルギーを付与する電気、機械的エネルギー変換素子を有する走査ヘッドにより走査することにより表示装置とすることができる。 
【０４６９】
前述の全ての実施形態、実施例において、本発明の発光部材、応力発光素子に外力を印加する手段としては、手動のみならず例えば各種の人工的、自然の任意の機械的エネルギー発生源 (機械的エネルギー発生手段)  あればよく、本発明の発光部材、応力発光素子と振動発生源などの任意の前記機械的エネルギー発生源とを振動結合などの機械的結合、機械的接触させると、応力発光素子は発光可能となる。
【０４７０】
本発明の応力発光素子は、それ自体で、又は振動発生源などの機械的エネルギー発生手段と機械的結合が可能なように配置、取り付けまたは組み込むことができる。
【０４７１】
更に本発明は前述の各種の実施の形態、実施例に限定されず各種の実施の形態、実施例の構成部分、構成要素の任意の組み合わせが可能である。
【０４７２】
以上に添付図面を参照して本発明の各種の実施の形態、実施例を記述したが、本発明はこれらの実施の形態、実施例に限定されず、本発明の精神と特許請求の範囲に基づいて各種の変形、設計変更および改良が可能である。 
【図面の簡単な説明】
【０４７３】
【図１】図1は本発明の第1実施の形態の応力発光装置100の使用方法の代表例を示す概略斜視図である。
【図２】図2は第1実施の形態の応力発光素子100の概略立面図である。
【図３】図3は図2のＡ−Ａ線に沿って切断した概略拡大部分断面図である。
【図４】図４Ａ、図４Ｂは、粒子状発光体を示す概略拡大断面図である。
【図５】図５Ａ及び図５Ｂは、粒子状発光体を示す概略拡大断面図である。
【図６】図６Ａ、図６Ｂは、図2のB−B線に沿って切断した容器の壁を示す概略拡大断面図である。
【図７】図７Ａ及び図７Ｂ図は、図2のB−B線に沿って切断した容器の壁を示す概略拡大断面図である。
【図８】図8は、本発明の第3実施の形態の応力発光素子の一部を断面として示す概略立面図である。
【図９】図9は、本発明の第4実施の形態を示す応力発光素子を示す概略斜視図である。
【図１０】図10は、図9のC-C線に沿って切断し応力発光素子を拡大して示す概略部分拡大断面図である。
【図１１】図11は本発明の第5実施の形態を示す応力発光素子の主要部を示す概略部分斜視図である。
【図１２】図12は本発明の第6実施の形態を示す応力発光素子の主要部を示す概略部分斜視図である。
【図１３】図13は、本発明の第7実施の形態を示す応力発光素子を示す概略展開斜視図である。
【図１４】図14は本発明の第8実施形態を示し、主要部の一部を断面として示す応力発光装置の概略立面図である。
【図１５】図15は本発明の第9実施の形態のカプセル型応力発光素子を示し、応力発光素子の一部を断面として示す概略部分断面図である。
【図１６】図16A、図16B、図16Cは本発明の第10実施の形態を示す応力発光素子の概略斜視図である。
【図１７】図17A、図17B、図17Cは本発明の第11実施の形態を示す応力発光素子の一部を断面として示す概略部分断面図である。
【図１８】図18は本発明の第12実施形態の一部を断面として示す応力発光素子の概略斜視図である。
【図１９】図19は本発明の第13実施形態の一部を断面として示す発光素子の概略斜視図である。
【図２０】図20は本発明の第14実施形態の応力発光素子の一部を断面として示す概略部分断面図である。
【図２１】図21は本発明の第15実施形態を示す応力発光素子の一部を断面として示す概略部分断面図である。
【図２２】図22A、図22Bは本発明の第16実施形態を示す機械的エネルギー検知装置の概略部分断面図である。
【図２３】図23A、図23Bは本発明の第17実施形態を示す機械的エネルギー検知装置の概略部分断面図である。
【図２４】図24A、図24Bは本発明の第18実施形態を示す機械的エネルギー検知装置の概略部分断面図である。
【図２５】図25Aは第19実施形態の人形170などの眼の説明図、図25Bは第19実施形態の人形などの概略部分断面図である。
【図２６】図26Aは球状の応力発光素子を用いた装身具を示す概略立面図、図26Bはハート状の応力発光素子を用いた装身具を示す概略立面図である。
【図２７】図27Aは球状の応力発光素子を用いた風船、気球などのバルーン190を示す概略立面図、図27Bはハート状の応力発光素子を用いたバルーン191を示す概略立面図である。
【図２８】図28は第22実施形態の造花装置を示す概略立面図である。
【図２９】図29は第22実施形態の動的展示装置を示す概略立面図である。
【図３０】図30は第24実施形態の噴水装置を示す概略立面図である。
【図３１】図31は第25実施形態の動的発光装飾装置であり、部分的に断面として示す概略立面図である。
【図３２】図32は第26実施形態の動的発光装飾装置であり、部分的に断面として示す概略立面図である。
【図３３】図33は、図31を参照して記述した第25実施形態の動的発光装飾装置の一変形であり、部分的に断面として示す概略斜視図である。
【図３４】図34は第28実施形態の表示、標示、展示装置を示す概略システム図である。
【図３５】図35は第29実施形態の表示、標示、展示装置を示す概略システム図である。
【図３６】図36は第30実施形態の砂時計型発光装置、発光砂時計を示す概略立面図である。
【図３７】図37は第31実施形態の応力発光装置を示す概略斜視図である。
【図３８】図38は第32実施形態の応力発光素子の一部を断面として示す概略部分断面図である。
【図３９】図39は第33実施形態の応力発光素子の一部を断面として示す概略斜視図である。
【図４０】図40は第34実施形態の応力発光素子の一部を断面として示す概略断面図である。
【図４１】図41は第35実施形態の応力発光素子の一部を断面として示す概略断面図である。
【符号の説明】
【０４７４】
１０・・・応力発光素子 (mechanical stress luminescent element)、球状応力発光素子、
メカノルミネッセンス素子  (mechano-luminescent element)、摩擦発光素子 (tribo-luminesent element)
１１・・・応力発光素子、複数部屋型球状応力発光素子
１２・・・応力発光素子、円筒状応力発光素子
１２'・・・応力発光素子、円筒状応力発光素子
１２Ｂ・・・応力発光素子、複数部屋型円筒状応力発光素子
１２Ｃ・・・応力発光素子、ローソク型応力発光素子
１３・・・応力発光素子、積層型応力発光素子、カード型応力発光素子
１５・・・応力発光素子、球、ボール型応力発光素子
１５Ａ・・・応力発光素子、楕円型応力発光素子
１５Ｂ・・・応力発光素子、円柱型応力発光素子
１５Ｃ・・・応力発光素子、多角柱型応力発光素子
１５Ｄ・・・応力発光素子、ハート型応力発光素子
１５Ｅ・・・応力発光素子、リング型応力発光素子
１５Ｆ・・・応力発光素子、星型応力発光素子
１５'・・・応力発光素子、風船型応力発光素子
１５"・・・応力発光素子、網型球状応力発光素子
１６・・・応力発光素子、二重カプセル型球状応力発光素子
１６'・・・応力発光素子、風船型応力発光素子
１７・・・応力発光素子、二重カプセル型円筒状応力発光素子
１８・・・応力発光素子、レンズ付き応力発光素子
１８Ａ・・・応力発光素子、眼球型応力発光素子、発光眼球
１９・・・応力発光素子、光透過性部材(窓)付き応力発光素子
１９Ａ・・・応力発光素子、遮光壁付き応力発光素子
２０・・・壁
２０Ａ・・・壁
２０Ｂ・・・壁
２０Ｃ・・・壁
２０Ｄ・・・壁
２２・・・円筒状部材 (中空容器)
２２a・・・円筒状部材 (中空容器)
２２b・・・円筒状部材 (中空容器)
２２'・・・円筒状部材 (中空容器)、網状円筒部材
２３・・・壁
２３'・・・壁、網状壁
２４Ａ・・・支持体
２４Ａ'・・・シート状支持体
２４Ａ"・・・シート状支持体
２４Ｂ・・・支持体
２４Ｂ'・・・シート状支持体
２４Ｂ"・・・シート状支持体
２５Ａ・・・スペーサー、封止材
２５Ａ'・・・スペーサー、封止材
２６・・・殻 (シェル)、球状壁
２６'・・・殻 (シェル)、球状壁、網型殻、網型球状壁
２７・・・粒子状攪拌部材
２８・・・殻 (シェル)、球状壁
２８Ａ・・・円筒状壁
２９・・・殻、壁
３０・・・応力発光材料含有粒子状部材
３０Ａ・・・粒子状応力発光材料
３０Ｂ・・・粒子状応力発光材料分散型粒子状部材
３０Ｃ・・・応力発光材料被覆型粒子状部材、粒子状応力発光材料分散バインダー被覆型粒子状部材
３０Ｄ・・・リング型、ドーナツ型応力発光材料含有粒子状部材
４０・・・空間、空洞
４１a・・・空間、空洞
４１b・・・空間、空洞
４２・・・空間、空洞、スペーサーの切欠部
４３・・・空間、空洞
４４・・・空間、空洞
５０・・・グリップ、取手、ハンドル
５０・・・長尺部材、円柱、円筒
５５・・・長尺部材、円柱、円筒
５６・・・支持部材、吊り下げ部材
５７・・・支持部材、紐部材
５６・・・支持部材、線状弾性部材
６０・・・レンズ
６２・・・半導体受光素子
６２・・・小型半導体受光素子
６３・・・遮光フード
６４・・・ブラケット
６７・・・光ファイバー
６８・・・球状レンズ
７０・・・支柱
７１a・・・パイプ
７１b・・・パイプ
７2・・・放射ノズル、噴射ノズル
７３・・・循環ポンプ
７４・・・噴水
７５・・・光透過性ドーム
７８・・・液体
７８Ａ・・・空間、空洞
７８ａ・・・空間、空洞
７８ｂ・・・空間、空洞
７９・・・圧電振動子、超音波発生素子
７９Ａ・・・圧電振動子、超音波発生素子
８２・・・送風機、ブローワー
８４ａ・・・パイプ
８４ｂ・・・パイプ
８５・・・パターン状光透過性パイプ
８５1・・・パターン状光透過性パイプ、文字型光透過性パイプ
８５2・・・パターン状光透過性パイプ、文字型光透過性パイプ
８５3・・・パターン状光透過性パイプ、文字型光透過性パイプ
８５n・・・パターン状光透過性パイプ、文字型光透過性パイプ
８６ａ・・・パイプ
８６ｂ・・・パイプ
８７・・・光透過性壁
８８・・・光透過性壁
８９・・・中空連結部、中空首部
９０ａ・・・台、蓋
９０ｂ・・・台、蓋
９１・・・光透過性バインダー
９２・・・光透過性シート状支持体
１００・・・応力発光装置、球状応力発光素子付き応力発光装置
１１０・・・応力発光装置、球状応力発光素子付き応力発光装置
１２０・・・応力発光装置、円筒状応力発光素子付き応力発光装置
１３０・・・応力発光装置、円筒状応力発光素子付き応力発光装置
１４０・・・応力発光装置、円筒状応力発光素子付き応力発光装置
１５０・・・応力発光装置、ローソク型応力発光装置
１６０・・・応力発光装置、衝撃、衝突、加速度センサー
１６１・・・応力発光装置、衝撃、衝突、加速度センサー
１６２・・・応力発光装置、衝撃、衝突、加速度センサー
１６３・・・応力発光装置、衝撃、衝突、加速度センサー
１６４・・・応力発光装置、衝撃、衝突、加速度センサー
１６５・・・応力発光装置、衝撃、衝突、加速度センサー
１７０・・・応力発光装置、発光眼球
１８０・・・応力発光装置、吊り下げ型応力発光装置、吊り下げ型発光装身具
１８１・・・応力発光装置、吊り下げ型応力発光装置、吊り下げ型発光装身具
１９０・・・応力発光装置、吊り下げ型応力発光装置、発光風船
１９１・・・応力発光装置、吊り下げ型応力発光装置、発光風船
２００・・・応力発光装置、発光型人工植物、発光型造花
２１０・・・応力発光装置、動的発光展示装置
２２０・・・応力発光装置、発光噴水
２３０・・・応力発光装置、動的発光展示装置
２４０・・・応力発光装置、動的発光展示装置
２５０・・・応力発光装置、動的発光展示装置
２６０・・・応力発光装置、パターン表示装置
２７０・・・応力発光装置、パターン表示装置
２８０・・・応力発光装置、発光砂時計、砂時計型発光装置
２９０・・・応力発光装置、円筒状網型発光装置
３００・・・応力発光装置、シート状応力発光装置
３１０・・・応力発光装置、カプセル型シート状応力発光装置
３２０・・・応力発光装置、カプセル型シート状応力発光装置
Ｌ・・・光、発光
Ｈ・・・手
Ｓ・・・揺動
Ｒ・・・回転
Ｂ1・・・発光ボール、球状発光体
Ｂ2・・・発光ボール、球状発光体
ＶＩＢａ・・・振動発生手段、振動素子
ＶＩＢｂ・・・振動発生手段、振動素子
ＶＢ・・・振動発生手段、振動素子
【図１】
2005322421.tif 000003
【図２】
2005322421.tif 000004
【図３】
2005322421.tif 000005
【図４】
2005322421.tif 000006
【図５】
2005322421.tif 000007
【図６】
2005322421.tif 000008
【図７】
2005322421.tif 000009
【図８】
2005322421.tif 000010
【図９】
2005322421.tif 000011
【図１０】
2005322421.tif 000012
【図１１】
2005322421.tif 000013
【図１２】
2005322421.tif 000014
【図１３】
2005322421.tif 000015
【図１４】
2005322421.tif 000016
【図１５】
2005322421.tif 000017
【図１６】
2005322421.tif 000018
【図１７】
2005322421.tif 000019
【図１８】
2005322421.tif 000020
【図１９】
2005322421.tif 000021
【図２０】
2005322421.tif 000022
【図２１】
2005322421.tif 000023
【図２２】
2005322421.tif 000024
【図２３】
2005322421.tif 000025
【図２４】
2005322421.tif 000026
【図２５】
2005322421.tif 000027
【図２６】
2005322421.tif 000028
【図２７】
2005322421.tif 000029
【図２８】
2005322421.tif 000030
【図２９】
2005322421.tif 000031
【図３０】
2005322421.tif 000032
【図３１】
2005322421.tif 000033
【図３２】
2005322421.tif 000034
【図３３】
2005322421.tif 000035
【図３４】
2005322421.tif 000036
【図３５】
2005322421.tif 000037
【図３６】
2005322421.tif 000038
【図３７】
2005322421.tif 000039
【図３８】
2005322421.tif 000040
【図３９】
2005322421.tif 000041
【図４０】
2005322421.tif 000042
【図４１】
2005322421.tif 000043